(57)【特許請求の範囲】
【請求項１】
無線通信システムにおいて端末がCSI（Channel State Information）を報告する方法であって、
前記端末が、基地局から、スロットnで前記端末により遂行される非周期的CSI報告と関連したダウンリンク制御情報（downlink control information、DCI）を受信するステップと、
前記端末が、前記CSIを計算するための時間と関連したz’シンボルの数に基づいてnCQI-ref値を決定するステップと、
前記端末が、前記非周期的CSI報告のために使われる時間領域でスロットn-nCQI-refであるとしてCSI基準資源を決定するステップと、
前記端末が、前記基地局に、スロットn-nCQI-refである前記CSI基準資源に基づいて前記スロットnで前記非周期的CSI報告を転送するステップと、を含み、
前記nCQI-refは、前記スロットn-nCQI-refが有効なダウンリンクスロット基準を満たすように
0006657474.tif 000085
以上の最小値であり、
0006657474.tif 000086
は、floor関数であり、
0006657474.tif 000087
は、１つのスロット内のシンボルの数である、方法。
【請求項２】
前記有効なダウンリンクスロット基準は、少なくとも、
（ｉ）前記CSIを計算するための前記時間と関連した前記z’シンボルの数、及び、
（ｉｉ）DCIプロセシング時間
に基づく、請求項１に記載の方法。
【請求項３】
0006657474.tif 000088
は、スロット内で１４シンボルと同一である、請求項１に記載の方法。
【請求項４】
前記基地局からスロットn-nCQI-refである前記CSI基準資源で非周期的参照信号（CSI-RS（channel state information-reference signal））を受信するステップと、
前記非周期的CSI-RSに基づいて前記CSIを決定するステップと、
前記CSIに基づいて前記非周期的CSI報告を生成するステップと、をさらに含む、請求項１に記載の方法。
【請求項５】
CSI複雑度及びサブキャリア間隔に基づいて前記CSIを計算するための前記時間と関連した前記z’シンボルの数を決定するステップをさらに含む、請求項１に記載の方法。
【請求項６】
前記z’シンボルの数は、DCIプロセシング時間を含まない、請求項５に記載の方法。
【請求項７】
前記CSIを計算するための前記時間と関連した前記z’シンボルの数に基づいて前記nCQI-ref値を決定するステップは、前記CSIを計算するための前記時間と関連した前記z’シンボルの数に基づき、さらに、１つのスロット内のシンボルの数に基づいて前記nCQI-ref値を決定するステップを含む、請求項１に記載の方法。
【請求項８】
前記DCIを受信するステップは、前記非周期的CSI報告が遂行される前記スロットn以外のスロットで前記DCIを受信するステップをさらに含む、請求項１に記載の方法。
【請求項９】
０と同一な前記nCQI-ref値に基づいて、前記非周期的CSI報告は、前記DCIを受信するスロットと同一なスロットで遂行される、請求項１に記載の方法。
【請求項１０】
無線通信システムにおけるCSI（Channel State Information）を報告するように構成された端末であって、
無線信号を送受信するように構成されたRF（Radio Frequency）モジュールと、
少なくとも１つのプロセッサと、
前記少なくとも１つのプロセッサに動作可能に接続可能であり、実行される時に前記少なくとも１つのプロセッサが動作を遂行するようにする指示を格納する少なくとも１つのコンピュータメモリーと、を含み、
前記動作は、
前記RFモジュールによって、基地局から、スロットnで前記端末により遂行される非周期的CSI報告と関連したダウンリンク制御情報（downlink control information、DCI）を受信するステップと、
前記端末が、前記CSIを計算するための時間と関連したz’シンボルの数に基づいてnCQI-ref値を決定するステップと、
前記端末が、前記非周期的CSI報告のために使われる時間領域でスロットn-nCQI-refであるとしてCSI基準資源を決定するステップと、
前記RFモジュールによって、前記基地局に、スロットn-nCQI-refである前記CSI基準資源に基づいて前記スロットnで前記非周期的CSI報告を転送するステップと、を含み、
前記nCQI-refは、前記スロットn-nCQI-refが有効なダウンリンクスロット基準を満たしたように
0006657474.tif 000089
以上の最小値であり、
0006657474.tif 000090
は、floor関数であり、
0006657474.tif 000091
は、１つのスロット内のシンボルの数である、端末。
【請求項１１】
前記有効なダウンリンクスロット基準は、少なくとも、
（ｉ）前記CSIを計算するための前記時間と関連した前記z’シンボルの数、及び、
（ｉｉ）DCIプロセシング時間
に基づく、請求項１０に記載の端末。
【請求項１２】
0006657474.tif 000092
は、スロット内で１４シンボルと同一である、請求項１０に記載の端末。
【請求項１３】
前記動作は、
前記RFモジュールによって、前記基地局からスロットn-nCQI-refである前記CSI基準資源で非周期的参照信号（CSI-RS（channel state information-reference signal））を受信するステップと、
前記非周期的CSI-RSに基づいて前記CSIを決定するステップと、
前記CSIに基づいて前記非周期的CSI報告を生成するステップと、をさらに含む、請求項１０に記載の端末。
【請求項１４】
前記CSIを計算するための前記時間と関連した前記z’シンボルの数を決定するステップは、CSI複雑度及びサブキャリア間隔に基づいて前記CSIを計算するための前記時間と関連した前記z’シンボルの数を決定するステップを含む、請求項１０に記載の端末。
【請求項１５】
前記z’シンボルの数は、DCIプロセシング時間を含まない、請求項１４に記載の端末。
【請求項１６】
前記CSIを計算するための前記時間と関連した前記z’シンボルの数に基づいて前記nCQI-ref値を決定するステップは、前記z’シンボルの数に基づき、さらに、サブキャリア間隔と関連した情報に基づいて前記nCQI-ref値を決定するステップを含む、請求項１０に記載の端末。
【請求項１７】
前記DCIを受信するステップは、前記非周期的CSI報告が遂行される前記スロットn以外のスロットで前記DCIを受信するステップをさらに含む、請求項１０に記載の端末。
【請求項１８】
０と同一な前記nCQI-ref値に基づいて、前記非周期的CSI報告は、前記DCIを受信するスロットと同一なスロットで遂行される、請求項１０に記載の端末。
【発明の詳細な説明】
【技術分野】
【０００１】
本明細書は無線通信システムに関し、より詳しくは、チャンネル状態情報（channel state information、CSI）報告を遂行するための方法及びこれをサポートする装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した連結デバイス個数の収容、非常に低い端対端遅延（End-to-End Latency）、高エネルギー効率をサポートできなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本明細書は、CSI報告と関連したCSI基準資源（reference resource）を決定する方法を提供することに目的がある。
【０００５】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００６】
本明細書は、無線通信システムにおけるCSI-RSを送受信する方法を提供する。
【０００７】
具体的に、端末により遂行される方法は、前記端末により、そして基地局から、スロットnで前記端末により遂行される非周期的（aperiodic）CSI報告と関連したダウンリンク制御情報（downlink control information、DCI）を受信するステップと、前記端末により、前記CSIを計算するための時間と関連したz’シンボルの数に基づいてｎCＱI_ｒｅｆ値を決定するステップと、前記端末により、非周期的CSI報告のために使われる時間領域でスロットn-nCQI-refとなるCSI基準資源（reference resource）を決定するステップと、前記端末により、そして前記基地局に、前記スロットn-nCQI-refとなるCSI基準資源に基づいて前記スロットｎで前記非周期的CSI報告を転送するステップと、を含むことを特徴とする。
【０００８】
また、本明細書で、前記ｎCQI-refは前記スロットn-nCQI-refが有効なダウンリンクスロット基準を満たすように
0006657474.tif 000002
と同一であるか、または大きい値のうち、最も小さい値であることを特徴とする。
【０００９】
また、本明細書で、前記有効なダウンリンクスロット基準は前記z’シンボルの数及びDCIプロセシング時間（processing time）に基づくことを特徴とする。
【００１０】
また、本明細書で、前記
0006657474.tif 000003
はスロットで１４シンボルと同一であることを特徴とする。
【００１１】
また、本明細書で、前記方法は前記基地局からスロットn-nCQI-refとなるCSI基準資源で非周期的CSI-RS（reference signal）を受信するステップと、前記非周期的CSI-RSに基づいてCSIを決定するステップと、前記CSIに基づいて前記非周期的CSI報告を生成するステップと、をさらに含むことを特徴とする。
【００１２】
また、本明細書で、前記方法は前記CSI複雑度（complexity）及びサブキャリア間隔（subcarrier spacing）に基づいて前記z’シンボルの数を決定するステップをさらに含むことを特徴とする。
【００１３】
また、本明細書で、前記z’シンボルの数はDCIプロセシング時間を含まないことを特徴とする。
【００１４】
また、本明細書で、前記z’シンボルの数に基づいて前記ｎCQI-ref値を決定するステップは、前記z’シンボルの数に基づいて、１つのスロットでシンボルの数に基づいて前記nCQI-ref値を決定するステップであることを特徴とする。
【００１５】
また、本明細書で、前記DCIを受信するステップは、前記非周期的CSI報告が遂行される前記スロットn以外のスロットで前記DCIを受信するステップであることを特徴とする。
【００１６】
また、本明細書で、０と同一なnCQI-ref値に基づいて前記非周期的CSI報告はDCIを受信するスロットと同一なスロットで遂行されることを特徴とする。
【００１７】
また、本明細書は無線通信システムにおけるCSI（Channel State Information）を報告（report）するための端末において、無線信号を送受信するためのRF（Radio Frequency）モジュールと、少なくとも１つのプロセッサと、前記少なくとも１つのプロセッサに動作可能に接続可能であり、実行される時、前記少なくとも１つのプロセッサが動作を遂行するようにする指示（instruction）を格納する少なくとも１つのコンピュータメモリーと、を含み、前記動作は、前記端末により、そして基地局から、スロットnで前記端末により遂行される非周期的（aperiodic）CSI報告と関連したダウンリンク制御情報（downlink control information、DCI）を受信するステップと、前記端末により、前記CSIを計算するための時間と関連したz’シンボルの数に基づいてnCQI-ref値を決定するステップと、前記端末により、非周期的CSI報告のために使われる時間領域でスロットn-nCQI-refとなるCSI基準資源（reference resource）を決定するステップと、前記端末により、そして前記基地局に、前記スロットn-nCQI-refとなるCSI基準資源に基づいて前記スロットnで前記非周期的CSI報告を転送するステップと、を含むことを特徴とする。
【発明の効果】
【００１８】
本明細書は、CSI基準資源（reference resource）をCSI報告時点とできる限り近接するように決定することによって、資源（幾つかのシンボル）が使われず、浪費されることを防止することができ、最も新しく受信されたCSI-RSに基づいてCSIを計算して、最新のCSIを報告することができる効果がある。
【００１９】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２０】
本発明に関する理解を助けるために詳細な説明の一部として含まれる添付図面は、本発明に対する実施形態を提供し、詳細な説明と共に本発明の技術的特徴を説明する。
【図１】本明細書で提案する方法が適用できるNRの全体的なシステム構造の一例を示した図である。
【図２】本明細書で提案する方法が適用できる無線通信システムにおけるアップリンクフレームとダウンリンクフレームとの間の関係を示す。
【図３】本明細書で提案する方法が適用できる無線通信システムでサポートする資源グリッド（resource grid）の一例を示す。
【図４】本明細書で提案する方法が適用できるself-containedサブフレーム構造の一例を示す。
【図５】本発明が適用できる無線通信システムにおけるトランシーバーユニットモデルを例示する。
【図６】CSI関連手続の一例を示したフローチャートである。
【図７】周期的CSI-RSが受信される時点の一例を示した図である。
【図８】周期的CSI-RSが受信される時点の更に他の一例を示した図である。
【図９】周期的CSI-RSが受信される時点の更に他の一例を示した図である。
【図１０】AP CSI-RSを用いてCSIを測定する方法の一例を示した図である。
【図１１】AP CSI-RSを用いてCSIを測定する更に他の方法の一例を示した図である。
【図１２】本明細書で提案する単一のCSIに対するA-CSI報告トリガーの一例を示す。
【図１３】本明細書で提案する周期的CSI-RSを有する単一のCSIに対するA-CSI報告トリガーの一例を示す。
【図１４】本明細書で提案するCSI基準資源の時間オフセットを決定する方法の一例を示す。
【図１５】本明細書で提案するCSI基準資源の時間オフセットを決定する方法の一例を示す。
【図１６】本明細書で提案するAperiodic CSI-RSを有する単一のCSIに対するA-CSI report triggerの一例を示した図である。
【図１７】本明細書で提案するCSI報告を遂行する端末の動作方法の一例を示した順序図である。
【図１８】本明細書で提案するCSI報告を受信する基地局の動作方法の一例を示した順序図である。
【図１９】本明細書で提案するnCQI_REF値に対する具現方法の一例を示す。
【図２０】本明細書で提案する方法が適用できる無線通信装置のブロック構成図を例示する。
【図２１】本発明の一実施形態に従う通信装置のブロック構成図を例示する。
【図２２】本明細書で提案する方法が適用できる無線通信装置のRFモジュールの一例を示した図である。
【図２３】本明細書で提案する方法が適用できる無線通信装置のRFモジュールの更に他の一例を示した図である。
【発明を実施するための形態】
【００２１】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２２】
幾つかの場合、本発明の概念が曖昧になることを避けるために公知の構造及び装置は省略されるか、または各構造及び装置の核心機能を中心としたブロック図形式に図示できる。
【００２３】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む多数のネットワークノード（network nodes）からなるネットワークで、端末との通信のために遂行される多様な動作は基地局または基地局以外の他のネットワークノードにより遂行できることは自明である。‘基地局（BS：Base Station）’は、固定局（fixed station）、Node B、eNB（evolved-NodeB）、BTS（base transceiver system）、アクセスポイント（AP：Access Point）、gNB（general NB）などの用語により置換できる。また、‘端末（Terminal）’は固定されるか、または移動性を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に置換できる。
【００２４】
以下、ダウンリンク（DL：downlink）は基地局から端末への通信を意味し、アップリンク（UL：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００２５】
以下の説明で使われる特定用語は本発明の理解を助けるために提供されたものであり、このような特定用語の使用は本発明の技術的思想を逸脱しない範囲で異なる形態に変更できる。
【００２６】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonalmultipleaccess）などの多様な無線接続システムに利用できる。CDMAは、UTRA（universal terrestrial radio access）やCDMA２０００のような無線技術（radio technology）で具現できる。TDMAは、GSM（global system for mobile communications）／GPRS（general packet radio service）／EDGE（enhanced data rates for GSM evolution）のような無線技術で具現できる。OFDMAは、IEEE ８０２．１１（WiFi）、IEEE ８０２．１６（WiMAX）、IEEE ８０２-２０、E-UTRA（evolved UTRA）などの無線技術で具現できる。UTRAは、UMTS（universal mobile telecommunications system）の一部である。３GPP（3rd generation partnership project）LTE（longterm evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEの進化版である。
【００２７】
５G NRは、usage scenarioによってeMBB（enhanced Mobile Broadband）、mMTC（massive Machine Type Communications）、URLLC（Ultra-Reliable and Low Latency Communications）、V2X（vehicle-to-everything）を定義する。
【００２８】
そして、５G NR規格（standard）はNRシステムとLTEシステムとの間の共存（co-existence）によってstandalone（SA）とnon-standalone（NSA）とに区分する。
【００２９】
そして、５G NRは多様なサブキャリア間隔（subcarrier spacing）をサポートし、ダウンリンクでCP-OFDMを、アップリンクでCP-OFDM及びDFT-s-OFDM（SC-OFDM）をサポートする。
【００３０】
本発明の実施形態は無線接続システムであるIEEE ８０２、３GPP、及び３GPP２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３１】
説明を明確にするために、３GPP LTE／LTE-Aを中心として技術するが、本発明の技術的特徴がこれに制限されるものではない。
【００３２】
＜用語の定義＞
【００３３】
eLTE eNB：eLTE eNBは、EPC（Evolved Packet Core）及びNGC（Next Generation Core）に対する連結をサポートするeNBの進化（evolution）である。
【００３４】
gNB：NGCとの連結だけでなく、NRをサポートするノード。
【００３５】
新たなRAN：NRまたはE-UTRAをサポートするか、またはNGCと相互作用する無線アクセスネットワーク。
【００３６】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００３７】
ネットワーク機能（network function）：ネットワーク機能は、よく定義された外部インターフェースとよく定義された機能的動作を有するネットワークインフラ内での論理的ノード。
【００３８】
NG-C：新たなRANとNGCとの間のNG２レファレンスポイント（reference point）に使われる制御プレーンインターフェース。
【００３９】
NG-U：新たなRANとNGCとの間のNG３レファレンスポイント（reference point）に使われるユーザプレーンインターフェース。
【００４０】
非独立型（Non-standalone）NR：gNBがLTE eNBをEPCに制御プレーン連結のためのアンカーとして要求するか、またはeLTE eNBをNGCに制御プレーン連結のためのアンカーとして要求する配置構成。
【００４１】
非独立型E-UTRA：eLTE eNBがNGCに制御プレーン連結のためのアンカーとしてgNBを要求する配置構成。
【００４２】
ユーザプレーンゲートウェイ：NG-Uインターフェースの終端点。
【００４３】
ヌメロロジー（numerology）：周波数領域で１つのsubcarrier spacingに対応する。Reference subcarrier spacingを整数Nにscalingすることによって、相異するnumerologyが定義できる。
【００４４】
NR：NR Radio AccessまたはNew Radio
【００４５】
＜システム一般＞
【００４６】
図１は、本明細書で提案する方法が適用できるNRの全体的なシステム構造の一例を示した図である。
【００４７】
図１を参照すると、NG-RANはNG-RAユーザプレーン（新たなAS sublayer／PDCP／RLC／MAC／PHY）及びUE（User Equipment）に対する制御プレーン（RRC）プロトコル終端を提供するgNBで構成される。
【００４８】
前記gNBは、Xnインターフェースを通じて相互連結される。
【００４９】
また、前記gNBは、NGインターフェースを通じてNGCに連結される。
【００５０】
より具体的には、前記gNBはN２インターフェースを通じてAMF（Access and Mobility Management Function）に、N３インターフェースを通じてUPF（User Plane Function）に連結される。
【００５１】
＜NRヌメロロジー（Numerology）及びフレーム（frame）構造＞
【００５２】
NRシステムでは、多数のヌメロロジー（numerology）がサポートできる。ここで、ヌメロロジーはサブキャリア間隔（subcarrier spacing）とCP（Cyclic Prefix）オーバーヘッドにより定義できる。この際、多数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００５３】
また、NRシステムでは多数のヌメロロジーに従う多様なフレーム構造がサポートできる。
【００５４】
以下、NRシステムで考慮できるOFDM（Orthogonal Frequency Division Multiplexing）ヌメロロジー及びフレーム構造を説明する。
【００５５】
NRシステムでサポートされる多数のOFDMヌメロロジーは、表１のように定義できる。
【００５６】
【表１】
0006657474.tif 000004
【００５７】
NRシステムにおけるフレーム構造（frame structure）と関連して、時間領域の多様なフィールドのサイズは
0006657474.tif 000005
の時間単位の倍数として表現される。
【００５８】
ここで、
0006657474.tif 000006
であり、
0006657474.tif 000007
である。ダウンリンク（downlink）及びアップリンク（uplink）転送は
0006657474.tif 000008
の区間を有する無線フレーム（radio frame）で構成される。ここで、無線フレームは各々
0006657474.tif 000009
の区間を有する１０個のサブフレーム（subframe）で構成される。
【００５９】
この場合、アップリンクに対する１セットのフレーム及びダウンリンクに対する１セットのフレームが存在することができる。
【００６０】
図２は、本明細書で提案する方法が適用できる無線通信システムにおけるアップリンクフレームとダウンリンクフレームとの間の関係を示す。
【００６１】
図２に示すように、端末（User Equipment、UE）からのアップリンクフレーム番号iの転送は、該当端末での該当ダウンリンクフレームの開始より
0006657474.tif 000010
以前に始めなければならない。
【００６２】
ヌメロロジーμに対して、スロット（slot）はサブフレーム内で
0006657474.tif 000011
の増加する順に番号が付けられて、無線フレーム内で
0006657474.tif 000012
の増加する順に番号が付けられる。１つのスロットは
0006657474.tif 000013
の連続するOFDMシンボルで構成され、
0006657474.tif 000014
は用いられるヌメロロジー及びスロット設定（slot configuration）によって決定される。サブフレームでスロット
0006657474.tif 000015
の開始は同一サブフレームでOFDMシンボル
0006657474.tif 000016
の開始と時間的に整列される。
【００６３】
全ての端末が同時に送信及び受信できるものではなく、これはダウンリンクスロット（downlink slot）またはアップリンクスロット（uplink slot）の全てのOFDMシンボルが利用できないことを意味する。
【００６４】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００６５】
【表２】
0006657474.tif 000017
【００６６】
【表３】
0006657474.tif 000018
【００６７】
＜NR物理資源（NR Physical Resource）＞
【００６８】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００６９】
以下、NRシステムで考慮できる前記物理資源に対して具体的に説明する。
【００７０】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にいるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００７１】
図３は、本明細書で提案する方法が適用できる無線通信システムでサポートする資源グリッド（resource grid）の一例を示す。
【００７２】
図３を参照すると、資源グリッドが周波数領域上に
0006657474.tif 000019
サブキャリアで構成され、１つのサブフレームが１４・２μOFDMシンボルで構成されることを例示的に記述するが、これに限定されるものではない。
【００７３】
NRシステムにおいて、転送される信号（transmitted signal）は
0006657474.tif 000020
サブキャリアで構成される１つまたはそれ以上の資源グリッド及び
0006657474.tif 000021
のOFDMシンボルにより説明される。
【００７４】
ここで、
0006657474.tif 000022
である。前記
0006657474.tif 000023
は最大転送帯域幅を示し、これは、ヌメロロジーだけでなく、アップリンクとダウンリンクとの間にも変わることができる。
【００７５】
この場合、図３のように、ヌメロロジーμ及びアンテナポートｐ別に１つの資源グリッドが設定できる。
【００７６】
ヌメロロジーμ及びアンテナポートｐに対する資源グリッドの各要素は資源要素（resource element）と称され、インデックス対
0006657474.tif 000024
により固有的に識別される。ここで、
0006657474.tif 000025
は周波数領域上のインデックスであり、
0006657474.tif 000026
はサブフレーム内でシンボルの位置を称する。
【００７７】
スロットで資源要素を称する時には、インデックス対
0006657474.tif 000027
が用いられる。
【００７８】
ここで、
0006657474.tif 000028
である。ヌメロロジーμ及びアンテナポートｐに対する資源要素
0006657474.tif 000029
は複素値（complex value）
0006657474.tif 000030
に該当する。混同（confusion）する危険がない場合、または特定アンテナポートまたはヌメロロジーが特定されない場合には、インデックスｐ及びμはドロップ（drop）されることができ、その結果、複素値は
0006657474.tif 000031
または
0006657474.tif 000032
になることができる。また、物理資源ブロック（physical resource block）は周波数領域上の
0006657474.tif 000033
連続的なサブキャリアとして定義される。周波数領域上で、物理資源ブロックは０から
0006657474.tif 000034
まで番号が付けられる。この際、周波数領域上の物理資源ブロック番号（physical resource block number）
0006657474.tif 000035
と資源要素
0006657474.tif 000036
との間の関係は、数式１のように与えられる。
【００７９】
［数式１］
【数１】
0006657474.tif 000037
【００８０】
また、キャリアパート（carrier part）と関連して、端末は資源グリッドのサブセット（subset）のみを用いて受信または転送するように設定できる。
【００８１】
この際、端末が受信または転送するように設定された資源ブロックの集合（set）は周波数領域上で０から
0006657474.tif 000038
まで番号が付けられる。
【００８２】
＜自己完備（Self-contained）サブフレーム構造＞
【００８３】
図４は、本発明が適用できる無線通信システムにおける自己完備（Self-contained）サブフレーム構造を例示する図である。
【００８４】
ＴＤＤシステムにおけるデータ転送レイテンシー（latency）を最小化するために第５世代（５G：5generation）new RATでは図４のような自己完備（self-contained）サブフレーム構造を考慮している。
【００８５】
図４で斜線を施した領域（シンボルインデックス０）はダウンリンク（DL）制御領域を示し、黒色部分（シンボルインデックス１３）はアップリンク（UL）制御領域を示す。陰影表示のない領域はDLデータ転送のために使われることもでき、またはULデータ転送のために使われることもできる。このような構造の特徴は、１つのサブフレーム内でDL転送とUL転送が順次に進行されて、サブフレーム内でDLデータが転送され、UL ACK／NACKも受信できる。結果的に、データ転送エラー発生時にデータ再転送までかかる時間を減らすようになり、これによって、最終データ伝達のlatencyを最小化することができる。
【００８６】
このようなself-containedサブフレーム構造で、基地局とUEが送信モードから受信モードへの転換過程、または受信モードから送信モードへの転換過程のための時間ギャップ（time gap）が必要である。このためにself-containedサブフレーム構造で、DLからULに転換される時点の一部OFDMシンボルがガード区間（GP：guard period）に設定されるようになる。
【００８７】
＜アナログビームフォーミング（Analog beamforming）＞
【００８８】
ミリメートル波（Millimeter Wave、mmW）では波長が短くなって同一面積に多数個のアンテナ要素（antenna element）の設置が可能である。即ち、３０GHz帯域で波長は１ｃｍであって、４X４（４by４）ｃｍのパネル（panel）に０．５ラムダ（lambda）（即ち、波長）間隔で２次元配列形態に６４（８x８）のantenna element設置が可能である。したがって、mmWでは多数個のantenna elementを使用してビームフォーミング（BF：beamforming）利得を高めてカバレッジを増加させるか、またはスループット（throughput）を高めようとする。
【００８９】
この場合にantenna element別に転送パワー及び位相調節が可能であるようにトランシーバーユニット（TXRU：Transceiver Unit）を有すれば、周波数資源別に独立的なビームフォーミングが可能である。しかしながら、１００余個のantenna element全てにTXRUを設置するには価格面で実効性が落ちる問題を有するようになる。
【００９０】
したがって、１つのTXRUに多数個のantenna elementをマッピングし、アナログ位相シフター（analog phase shifter）でビーム（beam）の方向を調節する方式が考慮されている。このようなanalog BF方式は全帯域で１つのbeam方向のみを作ることができるので、周波数選択的BFを行うことができないという短所がある。
【００９１】
ディジタル（Digital）BFとanalog BFの中間形態に、Q個のantenna elementより少ない個数であるB個のTXRUを有するハイブリッドビームフォーミング（hybrid BF）を考慮することができる。この場合にB個のTXRUとQ個のantenna elementの連結方式によって差はあるが、同時に転送することができるbeamの方向はB個以下に制限される。
【００９２】
以下、図面を参照してTXRUとantenna elementの連結方式の代表的な一例を説明する。
【００９３】
図５は、本発明が適用できる無線通信システムにおけるトランシーバーユニットモデルを例示する。
【００９４】
TXRU仮想化（virtualization）モデルはTXRUの出力信号とantenna elementsの出力信号との関係を示す。antenna elementとTXRUとの相関関係によって図５（ａ）のようにTXRU仮想化（virtualization）モデルオプション−１：サブ配列分割モデル（sub-array partition model）と、図５（ｂ）のようにTXRU仮想化モデルオプション−２：全域連結（full-connection）モデルとに区分できる。
【００９５】
図５（ａ）を参照すると、サブ配列分割モデル（sub-array partition model）の場合、antenna elementは多重のアンテナ要素グループに分割され、各TXRUはグループのうちの１つと連結される。この場合にantenna elementは１つのTXRUのみに連結される。
【００９６】
図５（ｂ）を参照すると、全域連結（full-connection）モデルの場合、多重のTXRUの信号が結合されて単一のアンテナ要素（または、アンテナ要素の配列）に伝達される。即ち、TXRUが全てのアンテナelementに連結された方式を示す。この場合に、アンテナelementは全てのTXRUに連結される。
【００９７】
図５で、ｑは１つの列（column）内のM個のような偏波（co-polarized）を有するアンテナ要素の送信信号ベクトルである。wは広域TXRU仮想化加重値ベクトル（wideband TXRU virtualization weight vector）であり、Wはアナログ位相シフター（analog phase shifter）により掛けられる位相ベクトルを示す。即ち、Wによりanalog beamformingの方向が決定される。xは、M_TXRU個のTXRUの信号ベクトルである。
【００９８】
ここで、アンテナポートとTXRUとのマッピングは、一対一（1-to-1）または一対多（1-to-many）でありうる。
【００９９】
図５で、TXRUとアンテナ要素との間のマッピング（TXRU-to-element mapping）は１つの例示を示すものであり、本発明はこれに限定されるものではなく、ハードウェア観点で、その他の多様な形態に具現できるTXRUとアンテナ要素との間のマッピングにも本発明が同一に適用できる。
【０１００】
＜チャンネル状態情報フィードバック（CSI feedback）＞
【０１０１】
LTEシステムを含んだ大部分のcellular systemで、端末はチャンネル推定のためのパイロット信号（reference signal）を基地局から受信してCSI（channel state information）を計算し、これを基地局に報告する。
【０１０２】
基地局は端末からフィードバックを受けたCSI情報に基づいてデータ信号を転送する。
【０１０３】
LTEシステムにおける端末がフィードバックするCSI情報にはCQI（channel quality information）、PMI（precoding matrix index）、RI（rank indicator）がある。
【０１０４】
CQIフィードバックは基地局がデータを転送する時、どんなMCS（modulation & coding scheme）を適用するかに対するガイドを提供しようとする目的（link adaptation用途）で基地局に提供する無線チャンネル品質情報である。
【０１０５】
基地局と端末との間に無線品質が高ければ、端末は高いCQI値をフィードバックして、基地局は相対的に高いmodulation orderと低いchannel coding rateを適用してデータを転送し、反対の場合、端末は低いCQI値をフィードバックして基地局は相対的に低いmodulation orderと高いchannel coding rateを適用してデータを転送する。
【０１０６】
PMIフィードバックは、基地局が多重アンテナを設置した場合、どんなMIMO precoding schemeを適用するかに対するガイドを提供しようとする目的で基地局に提供するpreferred precoding matrix情報である。
【０１０７】
端末は、パイロット信号から基地局と端末との間のdownlink MIMO channelを推定して、基地局がどんなMIMO precodingを適用すればいいのかをPMIフィードバックを通じて推薦する。
【０１０８】
LTEシステムではPMI構成において行列形態に表現可能なlinear MIM Oprecodingのみ考慮する。
【０１０９】
基地局と端末は多数のprecoding行列で構成されたコードブックを共有しており、コードブック内に各々のMIMO precoding行列は固有のindexを有している。
【０１１０】
したがって、端末はコードブック内で最も好むMIMO precoding行列に該当するインデックスをPMIとしてフィードバックすることによって、端末のフィードバック情報量を最小化する。
【０１１１】
PMI値が必ず１つのインデックスのみからなるべきではない。一例に、LTEシステムで送信アンテナポート数が８個である場合、２つのインデックス（first PMI & second PMI）を結合しなければ、最終的な8tx MIMO precoding行列を導出できないように構成されている。
【０１１２】
RIフィードバックは、基地局と端末が多重アンテナを設置してspatial multiplexingを通じてのmulti-layer転送可能な場合、端末が好む転送layerの数に対するガイドを提供しようとする目的で基地局に提供する好む転送layer数に対する情報である。
【０１１３】
RIは、PMIと非常に密接な関係を有する。それは転送レイヤ数によって基地局は各々のレイヤにどんなprecodingを適用しなければならないのか分からなければならないためである。
【０１１４】
PMI／RIフィードバック構成において、single layer転送を基準にPMIコードブックを構成した後、layer別にPMIを定義してフィードバックすることができるが、このような方式は転送レイヤの数の増加によってPMI／RIフィードバック情報量が格段に増加する短所がある。
【０１１５】
したがって、LTEシステムでは各々の転送レイヤの数に従うPMIコードブックを定義した。即ち、R-layer転送のためにサイズNt x R行列のN個をコードブック内に定義する（ここで、Rはlayer数、Ntは送信アンテナポート数、Nはコードブックのサイズ）。
【０１１６】
したがって、LTEでは転送レイヤの数に関わらず、PMIコードブックのサイズが定義される。結局、このような構造でPMI／RIを定義するので、転送レイヤ数（R）は、結局、precoding行列（Nt x R行列）のrank値と一致するようになるので、rank indicator（RI）という用語を使用するようになった。
【０１１７】
本明細書で記述されるPMI／RIは、必ずLTEシステムにおけるPMI／RIのようにNt x R行列で表現されるprecoding行列のインデックス値とprecoding行列のrank値を意味するものに制限されるものではない。
【０１１８】
本明細書に記述されるPMIは転送端で適用可能なMIMO precoderのうち、好むMIMO precoder情報を示すものであって、そのprecoderの形態がLTEシステムでのように行列で表現可能なlinear precoderのみに限定されるものではない。また、本明細書で記述されるRIはLTEでのRIより広い意味で、好む転送レイヤ数を示すフィードバック情報を全て含む。
【０１１９】
CSI情報は全体システム周波数領域で求められることもでき、一部の周波数領域で求められることもできる。特に、広帯域システムでは端末別に好む一部の周波数領域（e. g. subband）に対するCSI情報を求めてフィードバックすることが有用でありうる。
【０１２０】
LTEシステムでCSIフィードバックは、uplinkチャンネルを通じてなされるが、一般的に、周期的なCSIフィードバックはPUCCH（physical uplink control channel）を通じてなされ、非周期的なCSIフィードバックはuplink dataチャンネルであるPUSCH（physical uplink shared channel）を通じてなされる。
【０１２１】
非周期的なCSIフィードバックは、基地局がCSIフィードバック情報を希望する時のみに一時的にフィードバックすることを意味するものであって、基地局がPDCCH／ePDCCHのようなdownlink control channelを通じてCSIフィードバックをtriggerする。
【０１２２】
LTEシステムでは、CSIフィードバックがtriggerされた時、端末がどんな情報をフィードバックしなければならないかが図８のようにPUSCH CSI reporting modeに区分されており、端末がどんなPUSCH CSI reporting modeで動作すべきかは上位層メッセージを通じて端末に予め知らせる。
【０１２３】
＜CSI関連手続（Channel State Information related Procedure）＞
【０１２４】
NRシステムで、CSI-RS（channel state information-reference signal）は時間及び／又は周波数トラッキング（time/frequency tracking）、CSI計算（computation）、L１（layer 1）-RSRP（reference signal received power）計算（computation）、及び移動性（mobility）のために使われる。
【０１２５】
本明細書で使われる‘A及び／又はB’と‘A／B’は‘AまたはBのうちの少なくとも１つを含む’と同一な意味として解釈できる。
【０１２６】
前記CSI computationはCSI獲得（acquisition）と関連し、L1-RSRP computationはビーム管理（beam management、BM）と関連する。
【０１２７】
CSI（channel state information）は、端末とアンテナポートとの間に形成される無線チャンネル（または、リンクともいう）の品質を示すことができる情報を示す。
【０１２８】
CSI関連手続に対する端末の動作に対して説明する。
【０１２９】
図６は、CSI関連手続の一例を示したフローチャートである。
【０１３０】
前記のようなCSI-RSの用途のうちの１つを遂行するために、端末（例：user equipment、UE）はCSIと関連した設定（configuration）情報をRRC（radio resource control）signalingを通じて基地局（例：general Node B、gNB）から受信する（Ｓ６１０）。
【０１３１】
前記CSIと関連したconfiguration情報はCSI-IM（interference measurement）資源（resource）関連情報、CSI測定設定（measurement configuration）関連情報、CSI資源設定（resource configuration）関連情報、CSI-RS資源（resource）関連情報、またはCSI報告設定（report configuration）関連情報のうち、少なくとも１つを含むことができる。
【０１３２】
前記CSI-IM資源関連情報は、CSI-IM資源情報（resource information）、CSI-IM資源セット情報（resource set information）などを含むことができる。
【０１３３】
CSI-IM resource setはCSI-IM resource set ID（identifier）により識別され、１つのresource setは少なくとも１つのCSI-IM resourceを含む。
【０１３４】
各々のCSI-IM resourceは、CSI-IM resourceIDにより識別される。
【０１３５】
前記CSI resource configuration関連情報は、NZP（non zero power）CSI-RS resource set、CSI-IM resource set、またはCSI-SSB resource setのうち、少なくとも１つを含むグループを定義する。
【０１３６】
即ち、前記CSI resource configuration関連情報はCSI-RS resource set listを含み、前記CSI-RS resource set listはNZPCSI-RS resource set list、CSI-IM resource set list、またはCSI-SSB resource set listのうち、少なくとも１つを含むことができる。
【０１３７】
前記CSI resource configuration関連情報はCSI-Resource Config IEで表現できる。
【０１３８】
CSI-RS resource setはCSI-RS resource set IDにより識別され、１つのresource setは少なくとも１つのCSI-RS resourceを含む。
【０１３９】
各々のCSI-RS resourceは、CSI-RS resource IDにより識別される。
【０１４０】
表４のように、NZP CSI-RS resource set別にCSI-RSの用途を示すparameter（例：BM関連‘repetition’ parameter、tracking関連‘trs-Info’ parameter）が設定できる。
【０１４１】
表４は、 NZP CSI-RS resource set IEの一例を示す。
【０１４２】
【表４】
0006657474.tif 000039
【０１４３】
表４で、repetition parameterは同一なbeamの反復転送有無を示すparameterであって、NZP CSI-RS resource set別にrepetitionが‘ON’または‘OFF’なのかを指示する。
【０１４４】
本明細書で使われる転送ビーム（Tx beam）は、spatial domain transmission filterと、受信ビーム（Rx beam）はspatial domain reception filterと同一な意味として解釈できる。
【０１４５】
例えば、表４のrepetition parameterが‘OFF’に設定された場合、端末はresource set内のNZP CSI-RS resourceが全てのシンボルで同一なDL spatial domain transmission filterと同一なNrofportsに転送されると仮定しない。
【０１４６】
そして、higher layer parameterに該当するrepetition parameterはL1 parameterの‘CSI-RS-Resource Rep’に対応する。
【０１４７】
前記CSI報告設定（report configuration）関連情報は時間領域行動（time domain behavior）を示す報告設定タイプ（reportConfigType）parameter及び報告するためのCSI関連quantityを示す報告量（report Quantity）parameterを含む。
【０１４８】
前記時間領域行動（time domain behavior）はperiodic、aperiodic、またはsemi-persistentでありうる。
【０１４９】
そして、前記CSI report configuration関連情報はCSI-ReportConfig IEで表現されることができ、以下の表５はCSI-ReportConfig IEの一例を示す。
【０１５０】
【表５】
0006657474.tif 000040
【０１５１】
そして、前記端末は前記CSIと関連したconfiguration情報に基づいてCSIを測定（measurement）する（Ｓ６２０）。
【０１５２】
前記CSI測定は、（１）端末のCSI-RS受信過程（Ｓ６２１）と、（２）受信されたCSI-RSによりCSIを計算（computation）する過程（Ｓ６２２）を含むことができる。
【０１５３】
前記CSI-RSに対するシーケンス（sequence）は以下の数式２により生成され、pseudo-random sequence C（i）の初期値（initialization value）は数式３により定義される。
【０１５４】
［数式２］
【数２】
0006657474.tif 000041
【０１５５】
［数式３］
【数３】
0006657474.tif 000042
【０１５６】
数式２及び３で、
0006657474.tif 000043
はradio frame内スロット番号（slot number）を示し、pseudo-random sequence generatorは
0006657474.tif 000044
である各OFDMシンボルの開始でCintに初期化される。
【０１５７】
そして、ｌはスロット内OFDM symbol numberであり、
0006657474.tif 000045
はhigher-layer parameter scramblingIDと同一である。
【０１５８】
そして、前記CSI-RSはhigher layer parameter CSI-RS-ResourceMappingにより時間（time）及び周波数（frequency）領域でCSI-RS resourceのRE（resource element）マッピングが設定される。
【０１５９】
表６は、CSI-RS-ResourceMapping IEの一例を示す。
【０１６０】
【表６】
0006657474.tif 000046
【０１６１】
表６で、密度（density、D）はRE／port／PRB（physical resource block）で測定されるCSI-RS resourceのdensityを示し、nrofPortsはアンテナポートの個数を示す。
【０１６２】
そして、前記端末は前記測定されたCSIを基地局に報告（report）する（Ｓ６３０）。
【０１６３】
ここで、表６のCSI-ReportConfigのquantityが‘none（または、No report）’に設定された場合、前記端末は前記reportを省略することができる。
【０１６４】
但し、前記quantityが‘none（または、No report）’に設定された場合にも前記端末は基地局にreportすることもできる。
【０１６５】
前記quantityが‘none’に設定された場合は、aperiodic TRSをtriggerする場合、またはrepetitionが設定された場合である。
【０１６６】
ここで、repetitionが‘ON’に設定された場合のみに前記端末のreportを省略するように定義することもできる。
【０１６７】
整理すると、repetitionが‘ON’及び‘OFF’に設定される場合、CSI reportは‘No report’、‘SSBRI（SSB Resource Indicator）及びL１-RSRP’、‘CRI（CSI-RS Resource Indicator）及びL１-RSRP’のいずれか一つを示すことがある。
【０１６８】
または、repetitionが‘OFF’の場合には‘SSBRI及びL１-RSRP’または‘CRI及びL１-RSRP’のCSI reportが転送されるように定義され、repetition‘ON’の場合には‘No report’、‘SSBRI及びL１-RSRP’、または‘CRI及びL１-RSRP’が転送されるように定義できる。
【０１６９】
＜CSI測定及び報告（CSI measurement and reporting）手続＞
【０１７０】
NRシステムは、より柔軟で動的なCSI measurement及びreportingをサポートする。
【０１７１】
前記CSI measurementはCSI-RSを受信し、受信されたCSI-RSをcomputationしてCSIをacquisitionする手続を含むことができる。
【０１７２】
CSI measurement及びreportingのtime domain behaviorとして、aperiodic/semi-persistent/periodic CM（channel measurement）及びIM（interference measurement）がサポートされる。
【０１７３】
CSI-IMの設定のために4port NZP CSI-RS RE patternを用いる。
【０１７４】
NRのCSI-IM基盤（CSI-IM-based）IMRはLTEのCSI-IMと類似のデザインを有し、PDSCH rate matchingのためのZP CSI-RS resourceとは独立的に設定される。
【０１７５】
そして、NZP CSI-RS基盤（CSI-RS-based）IMRで各々のportは（好ましいchannel及び）precoded NZP CSI-RSを有するinterference layerをemulateする。
【０１７６】
これは、multi-user caseに対してintra-cell interference measurementに対するものであって、MU interferenceを主にtargetする。
【０１７７】
基地局は、設定されたNZP CSI-RS基盤IMRの各port上でprecoded NZP CSI-RSを端末に転送する。
【０１７８】
端末はresource setで各々のportに対してchannel/interference layerを仮定し、interferenceを測定する。
【０１７９】
チャンネルに対して、どんなPMI及びRI feedbackもない場合、多数のresourceはsetで設定され、基地局またはネットワークはchannel/interference measurementに対してNZP CSI-RS resourceのsubsetをDCIを通じて指示する。
【０１８０】
resource setting及びresource setting configurationに対し、より具体的に説明する。
【０１８１】
＜資源セッティング（resource setting）＞
【０１８２】
各々のCSI resource setting‘CSI-ResourceConfig’は（higher layer parameter csi-RS-ResourceSetListにより与えられた）S≧1 CSI resource setに対するconfigurationを含む。
【０１８３】
ここで、CSI resource settingは、CSI-RS-resourcesetlistに対応する。
【０１８４】
ここで、Ｓは設定されたCSI-RS resource setの数を示す。
【０１８５】
ここで、S≧1 CSI resource setに対するconfigurationは（NZP CSI-RSまたはCSI-IMで構成された）CSI-RS resourceを含む各々のCSI resource setとL1-RSRP computationに使われるSS/PBCH block（SSB）resourceを含む。
【０１８６】
各CSI resource settingは、higher layer parameter bwp-idにより識別されるDL BWP（bandwidthpart）に位置する。
【０１８７】
そして、CSI reporting settingにリンクされた全てのCSI resource settingは同一なDL BWPを有する。
【０１８８】
CSI-ResourceConfig IEに含まれるCSI resource setting内でCSI-RS resourceのtime domain behaviorはhigher layer parameter resourceTypeにより指示され、aperiodic、periodic、またはsemi-persistentに設定できる。
【０１８９】
Periodic及びsemi-persistent CSI resource settingに対し、設定されたCSI-RS resource setの数（S）は‘１’に制限される。
【０１９０】
Periodic及びsemi-persistent CSI resource settingに対し、設定された周期（periodicity）及びスロットオフセット（slot off set）はbwp-idにより与えられるように、関連したDL BWPのnumerologyから与えられる。
【０１９１】
UEが同一なNZP CSI-RS resource IDを含む多数のCSI-ResourceConfigに設定される時、同一なtime domain behaviorはCSI-ResourceConfigに対して設定される。
【０１９２】
UEが同一なCSI-IM resource IDを含む多数のCSI-ResourceConfigに設定される時、同一なtime domain behaviorはCSI-ResourceConfigに対して設定される。
【０１９３】
次は、channel measurement（CM）及びinterference measurement（IM）のための１つ以上のCSI resource settingはhigher layer signalingを通じて設定される。
【０１９４】
−interference measurementに対するCSI-IM resource。
【０１９５】
−interference measurementに対するNZPCSI-RS資源。
【０１９６】
−channel measurementに対するNZPCSI-RS資源。
【０１９７】
即ち、CMR（channel measurement resource）はCSI acquisitionのためのNZP CSI-RSであり、IMR（Interference measurement resource）はCSI-IMとIMのためのNZP CSI-RSでありうる。
【０１９８】
ここで、CSI-IM（または、IMのためのZP CSI-RS）は主にinter-cell interference measurementに対して使われる。
【０１９９】
そして、IMのためのNZP CSI-RSは主にmulti-userからintra-cell interference measurementのために使われる。
【０２００】
UEはチャンネル測定のためのCSI-RS resource及び１つのCSI reportingのために設定されたinterference measurementのためのCSI-IM/NZP CSI-RS resourceが資源別に‘QCL-TypeD’と仮定することができる。
【０２０１】
＜資源セッティング設定（resource setting configuration）＞
【０２０２】
説明したように、resource settingはresource set listを意味することができる。
【０２０３】
aperiodic CSIに対し、higher layer parameter CSI-AperiodicTriggerStateを使用して設定される各トリガー状態（trigger state）は各々のCSI-ReportConfigがperiodic、semi-persistentまたはaperiodic resource settingにリンクされる１つまたは多数のCSI-ReportConfigと関連する。
【０２０４】
１つのreporting settingは最大３個までのresource settingと連結できる。
【０２０５】
−１つのresource settingが設定されれば、（higher layer parameter resourcesForChannelMeasurementにより与えられる）resource settingはL1-RSRP computationのためのchannel measurementに対するものである。
【０２０６】
−２つのresource settingが設定されれば、（higher layer parameter resourcesForChannelMeasurementにより与えられる）最初のresource settingはchannel measurementのためのものであり、（csi-IM-ResourcesForInterferenceまたはnzp-CSI-RS-ResourcesFor Interferenceにより与えられる）第２のresource settingはCSI-IMまたはNZP CSI-RS上で遂行されるinterference measurementのためのものである。
【０２０７】
−３個のresource settingが設定されれば、（resourcesForChannel Measurementにより与えられる）最初のresource settingはchannel measurementのためのものであり、（CSI-IM-ResourcesForInterferenceにより与えられる）第２のresource settingはCSI-IM基盤（CSI-IM based）interference measurementのためのものであり、（nzp-CSI-RS-ResourcesForInterferenceにより与えられる）第３のresource settingはNZP CSI-RS基盤（CSI-RS based）interference measurementのためのものである。
【０２０８】
Semi-persistentまたはperiodic CSIに対し、各CSI-ReportConfigはperiodicまたはsemi-persistent resource settingにリンクされる。
【０２０９】
−（resourcesForChannelMeasurementにより与えられる）１つのresource settingが設定されれば、前記resource settingはL1-RSRP computationのためのchannel measurementに対するものである。
【０２１０】
−２つのresource settingが設定されれば、（resourcesForChannel Measurementにより与えられる）最初のresource settingはchannel measurementのためのものであり、（higher layer parameter csi-IM-ResourcesForInterferenceにより与えられる）第２のresource settingはCSI-IM上で遂行されるinterference measurementのために使われる。
【０２１１】
CSI measurement関連CSI computationに対して説明する。
【０２１２】
干渉測定がCSI-IM上で遂行されれば、チャンネル測定のための各々のCSI-RS resourceは対応するresource set内でCSI-RS resource及びCSI-IM resourceの順序によりCSI-IM resourceと資源別に関連する。
【０２１３】
チャンネル測定のためのCSI-RS resourceの数はCSI-IM resourceの数と同一である。
【０２１４】
そして、interference measurementがNZP CSI-RSで遂行される場合、UEはチャンネル測定のためのresource setting内で関連したresource setで１つ以上のNZP CSI-RS resourceに設定されることと期待しない。
【０２１５】
Higher layer parameter nzp-CSI-RS-ResourcesForInterferenceが設定された端末は、NZP CSI-RS resource set内に１８個以上のNZP CSI-RS portが設定されることと期待しない。
【０２１６】
CSI測定のために、端末は以下の事項を仮定する。
【０２１７】
−干渉測定のために設定された各々のNZP CSI-RS portは干渉転送レイヤに該当する。
【０２１８】
−干渉測定のためのNZP CSI-RS portの全ての干渉転送レイヤはＥPRＥ（energy per resource element）割合を考慮する。
【０２１９】
−チャンネル測定のためのNZP CSI-RS resourceのRE(s)上で異なる干渉信号、干渉測定のためのNZP CSI-RS resourceまたは干渉測定のためのCSI-IM resource。
【０２２０】
CSI報告（Reporting）手続に対し、より具体的に説明する。
【０２２１】
CSI報告のために、UEが使用することができるtime及びfrequency資源は基地局により制御される。
【０２２２】
CSI（channel state information）は、チャンネル品質指示子（channel quality indicator、CQI）、プリコーディング行列指示子（precoding matrix indicator、PMI）、CSI-RS resource indicator（CRI）、SS/PBCH block resource indicator（SSBRI）、layer indicator（LI）、rank indicator（RI）、またはL１-RSRPのうち、少なくとも１つを含むことができる。
【０２２３】
CQI、PMI、CRI、SSBRI、LI、RI、L１-RSRPに対し、端末はN≧1 CSI-ReportConfig reporting setting、M≧1 CSI-ResourceConfig resource setting、及び１つまたは２つのtrigger stateのリスト（aperiodicTriggerStateList及びsemiPersistentOnPUSCH-TriggerStateListにより提供される）でhigher layerにより設定される。
【０２２４】
前記aperiodicTriggerStateListで、各trigger stateはchannel及び選択的にinterferenceに対するresource set IDを指示する関連したCSI-ReportConfigsリストを含む。
【０２２５】
前記semiPersistentOnPUSCH-TriggerStateListで、各trigger stateは１つの関連したCSI-ReportConfigが含まれる。
【０２２６】
そして、CSI reportingのtime domain behaviorは、periodic、semi-persistent、aperiodicをサポートする。
【０２２７】
以下、periodic、semi-persistent（ＳP）、aperiodic CSI reportingに対して各々説明する。
【０２２８】
Periodic CSI reportingは、short PUCCH、long PUCCH上で遂行される。
【０２２９】
Periodic CSI reportingの周期（periodicity）及びスロットオフセット（slot offset）はRRCに設定されることができ、CSI-ReportConfig IEを参照する。
【０２３０】
次に、SP CSI reportingは、short PUCCH、long PUCCH、またはPUSCH上で遂行される。
【０２３１】
Short／long PUCCH上でSP CSIである場合、周期（periodicity）及びスロットオフセット（slot offset）はRRCに設定され、別途のMAC CEにCSI報告がactivation／deactivationされる。
【０２３２】
PUSCH上でSP CSIである場合、SP CSI reportingのperiodicityはRRCに設定されるが、slot offsetはRRCに設定されず、DCI（format 0_1）によりSP CSI reportingは活性化／不活性化（activation／deactivation）される。
【０２３３】
最初のCSI報告タイミングは、DCIで指示されるPUSCH time domain allocation値に従い、後続するCSI報告タイミングはRRCに設定された周期に従う。
【０２３４】
PUSCH上でSP CSI reportingに対し、分離されたRNTI（SP-CSIC-RNTI）が使われる。
【０２３５】
DCI format 0_1はCSI request fieldを含み、特定configured SP-CSI trigger stateをactivation／deactivationすることができる。
【０２３６】
そして、SP CSI reportingは、SPS PUSCH上でdata転送を有するmechanismと同一または類似の活性化／不活性化を有する。
【０２３７】
次に、aperiodic CSI reportingはPUSCH上で遂行され、DCIによりtriggerされる。
【０２３８】
AP CSI-RSを有するAP CSIの場合、AP CSI-RS timingはRRCにより設定される。
【０２３９】
ここで、AP CSI reportingに対するtimingはDCIにより動的に制御される。
【０２４０】
NRは、LTEでPUCCH基盤（PUCCH-based）CSI報告に適用されていた多数のreporting instanceでCSIを分けて報告する方式（例えば、RI、WB PMI／CQI、SB PMI／CQIの順に転送）が適用されない。
【０２４１】
代わりに、NRはshort／long PUCCHで特定CSI報告が設定できないように制限し、CSI omission ruleが定義される。
【０２４２】
そして、AP CSI reporting timingと関連して、PUSCH symbol/slot locationはDCIにより動的に指示される。そして、candidate slot offsetはRRCにより設定される。
【０２４３】
CSI reportingに対し、slot offset(Y)はreporting setting別に設定される。
【０２４４】
UL-SCHに対し、slot offset K2は別個に設定される。
【０２４５】
２つのCSI latency class（low latency class、high latency class）は、CSI computation complexityの観点で定義される。
【０２４６】
Low latency CSIの場合、最大4ports Type-I codebookまたは最大4-ports non-PMI feedback CSIを含むWB CSIである。
【０２４７】
High latency CSIは、low latency CSIを除外した他のCSIをいう。
【０２４８】
Normal端末に対し、（Z、z’）はOFDM symbolのunitで定義される。
【０２４９】
Zは、Aperiodic CSI triggering DCIを受信した後、CSI報告を遂行するまでの最小CSI processing timeを示す。
【０２５０】
z’は、channel／interferenceに対するCSI-RSを受信した後、CSI報告を遂行するまでの最小CSI processing timeを示す。
【０２５１】
追加的に、端末は同時にcalculationすることができるCSIの個数をreportする。
【０２５２】
本明細書で使われるA-CSIまたはAP CSIは非周期的（aperiodic）CSIを示すものであって、UEにより非周期的に報告されるCSIを意味する。
【０２５３】
また、本明細書で使われるCSI reportまたはCSI reportingは同一な意味で解釈できる。
【０２５４】
A-CSI計算（computation or calculation）時間に対するUE能力（capability）として、UEはZのサポート可能な値のセット及び各Z値に対してサポート可能なCSI設定（configuration）を基地局に報告する。
【０２５５】
ここで、Zは与えられたCSI設定に対してCSI計算のために最小限要求されるシンボルの数（minimum required number of symbols）により定義される。
【０２５６】
より具体的に、Zはデコーディング時間（decoding time）、チャンネル測定（channel measurement）、CSI計算（calculation）、転送準備（TX preparation）など、AP CSI processingと関連した計算に要求される最小限の時間を意味する。
【０２５７】
CSI設定はWB（wideband）only CSIなのか、またはSB（sub-band）及びWB（wideband） CSIなのかを示す情報、CSI-RS portの最大個数に対する情報（maximum number of CSI-RS ports）、type 1 codebookなのか、またはtype 2 codebookなのかに対する情報などを含む。
【０２５８】
UEが多数のヌメロロジー（numerology）をサポートする場合、前記CSIに対する情報はnumerology別に報告できる。
【０２５９】
PUSCH上でA-CSI reportingがslot nでトリガー（trigger）される時、UEは次のような場合に前記A-CSI reportingをドロップ（drop）する。
【０２６０】
−スロットnでPDCCHの最後のシンボルとPUSCHの開始シンボルとの間の時間間隔（time gap）が与えられたCSI設定に対するZの報告された値より小さい場合。
【０２６１】
−AP CSI-RS資源がslot nから転送され、CSI-RS資源の最後のシンボルとPUSCHの開始シンボルとの間の時間間隔が与えられたCSI設定に対するZの報告された値より小さい場合。
【０２６２】
そして、PUSCHの開始シンボルの前のZシンボルとPUSCHの開始シンボルとの間のシンボルは（CSI）レファレンス資源（reference resource）として有効でない。
【０２６３】
以下、A-CSI報告トリガー（report trigger）及びこれと関連したCSI報告に対して説明する。
【０２６４】
基地局がslot nでDCI（downlink control information）転送を通じてA-CSI reportをtriggerした場合、UEは次の通り動作する。
【０２６５】
A-CSIは、前記DCIで資源割当されたPUSCHを通じてUEにより転送される。
【０２６６】
前記PUSCHの転送時点は、前記DCIの特定フィールド（Y値として定義）により指示（indication）される。
【０２６７】
より具体的に、前記PUSCHはA-CSI reportのtrigger時点に該当するslot nを基準にn+Y番目slot（slot n+Y）から転送される。
【０２６８】
例えば、Y値に対するDCIフィールドが２bitsに定義される時、００、０１、１０、及び１１に対するY値は各々RRC signalingにより定義され、より具体的に、RRC signalingを通じて定義されるreport setting内で定義される。
【０２６９】
前記report settingは、reporting settingまたはCSI-ReportConfigで表現されることもできる。
【０２７０】
A-CSI report triggerは１つまたは複数個の特定report settingをtriggerすることができ、triggerされたreport setting内の定義されたY値によって前記DCIフィールドの００、０１、１０、及び１１の値が定義される。
【０２７１】
前述したように、UEはslot nでPDCCHの最後のシンボルとPUSCHの始めるシンボルの時間間隔（time gapまたはtiming gap）がtriggerされたA-CSIのCSI configurationに該当するZ値より小さい場合、前記triggerされたA-CSIをdropするか、または前記A-CSIをupdateせず、基地局に転送する。
【０２７２】
その理由は、UEが前記A-CSI計算に必要な最小限の時間Zより実際の計算に与えられた時間が小さいので、UEはA-CSIを計算することができない。
【０２７３】
その結果、UEはtriggerされたCSIをdropまたはupdateしない。
【０２７４】
仮に、triggerされたA-CSIのチャンネル推定または干渉推定に使われるNZP（Non Zero Power）CSI-RS、またはZP（Zero Power）CSI-RSがaperiodic CSI-RSである場合、UEは該当RSから１回の測定（one shot measure）を通じてチャンネルまたは干渉を推定するようになる。
【０２７５】
即ち、UEは該当RS（NZP CSI-RSまたはZP CSI-RS）のみを用いてチャンネルまたは干渉を推定することを意味する。
【０２７６】
この際、CSI-RS資源のまさに最後のシンボルとPUSCHの始めるシンボルのtime gapがtriggerされたA-CSIのCSI configurationに該当するZ値より小さい場合、前述したUEの動作のように、UEは該当A-CSIをdropするか、または該当A-CSIをupdateせず、基地局に転送する。
【０２７７】
そして、UEはCSIを計算する時、特定周波数及び／又は時間資源領域に対してdata受信を仮定しCSIを計算するが、これをCSI基準資源（reference resource）という。
【０２７８】
前記CSI基準資源は、簡略に基準資源（reference resource）と表現されることもできる。
【０２７９】
UEは、前記CSI reference resource時点からCSI計算を始めるようになるので、前記CSI reference resource時点からZ symbolだけの時間が確保されなければCSIが計算できない。
【０２８０】
したがって、前記reference resource時点はCSI報告時点を基準に、少なくともz symbol（または、z+1 symbol）の前に定義されなければならない。
【０２８１】
このために、reference resourceの有効性（validity）を検査する時、CSI報告時点を基準に、少なくともz symbol（または、z+1 symbol）の前のsymbolまたはslotが有効であると判断し、でなければ、有効でないと判断する。
【０２８２】
ここで、(CSI) reference resourceはslot単位で定義される。
【０２８３】
また、前記(CSI) reference resourcesはCSIを報告するslot（e.g. slot n）を基準に、n-nCQI_REF以下のslotに（即ち、slot n-nCQI_REF）決定される。
【０２８４】
前述した、‘CSI報告時点を基準に、少なくともz symbol（または、z+1 symbol）の前のsymbolまたはslotが有効であると判断し、でなければ、有効でないと判断する。’は、nCQI_REFを次の数式４のように設定することを意味することができる。
【０２８５】
【数４】
0006657474.tif 000047
【０２８６】
前記数式４で、floorは小数点以下切捨てを意味するものであって、
0006657474.tif 000048
の記号で表現される。
【０２８７】
UEは、n-nCQI_REF以下のslotに対してreference resourceの有効性条件（validity condition）を満たす最新のslotをreference resourceに設定する。
【０２８８】
または、簡単にUEはslot n-nCQI_REFをreference resourceに設定することができる。
【０２８９】
そして、前記CSI reference resourceの時間オフセット（time offset）は後述する提案３（proposal 3）に基づいて決定されることができ、これに対する具体的な内容は提案３で説明する。
【０２９０】
DCIに含まれるA-CSI report triggerフィールドは、以下のように解釈できる。
【０２９１】
基地局が複数のreport settingに対するA-CSI triggerを同時にUEに指示し、各reporting setting別にY値の定義が異なる場合に、次のような問題が発生し、これを解決するためのUE動作に対して多様な方法により説明する。
【０２９２】
例えば、report setting 1はY＝｛０、１、２、３｝として定義され、report setting 2はY＝｛１、２、３、４｝として定義されたとする。
【０２９３】
この場合、Y値を指示する（２bits）DCIフィールドをどんなY値に解釈すべきか、曖昧な問題が発生する。
【０２９４】
したがって、これを解決するために、UEは次の方法のように動作することを提案する。
【０２９５】
（方法１）
【０２９６】
UEは互いに異なる２つYの積集合としてY’を新しく生成し、前記DCIフィールドをY’値と解釈する。
【０２９７】
即ち、前記の例で、互いに異なる２つのYの積集合は｛１、２、３｝となり、UEはDCIフィールドの００、０１、１０、及び１１を各々１、２、３、３として解釈する。
【０２９８】
仮に、互いに異なる２つのYの積集合が｛１｝である場合、UEは００、０１、１０、及び１１を各々１、１、１、１として解釈する。
【０２９９】
仮に、互いに異なる２つのYの積集合が｛１、２｝である場合、UEは００、０１、１０、及び１１を各々１、２、２、２として解釈する。
【０３００】
前記の例で、互いに異なる２つのYの積集合の要素個数がDCIフィールドのstate（例：００、０１、１０、１１）より小さい場合、残るstateを最後の積集合の値で繰り返して定義した。
【０３０１】
但し、これとは異なり、残るstateをreservedとして定義することもできる。
【０３０２】
（方法２）
【０３０３】
UEは複数のreport settingのうち、１つのreport settingに定義されたY値によってDCIフィールドを解釈する。
【０３０４】
例えば、UEは複数のreport settingのうち、report setting indexが低い値のreporting settingに対するY値でDCIフィールドを解釈する。
【０３０５】
または、UEは複数のreport settingのうち、CC（component carrier）のindexが低い値のreporting settingに対するY値でDCIフィールドを解釈する。
【０３０６】
UEは、report setting indexとCC indexとの間の優先順位を決めて、まずCC indexにY値を用いるreport settingを決定する。
【０３０７】
仮に、CC indexが同一な場合、UEはその次にreport setting indexによってY値を決定することができる。
【０３０８】
または、前記の説明で優先順位を反対に（report setting indexに優先順位）変えることもできる。
【０３０９】
（方法３）
【０３１０】
UEは、複数のreport settingが常に同一なY値を有するように期待することができる。
【０３１１】
即ち、基地局はreport setting１及び２に全て同一なY値をRRCにconfigureする。
【０３１２】
例えば、基地局はreport setting１のY＝｛１、２、３、４｝、report setting２のY＝｛１、２、３、４｝でconfigureすることができる。
【０３１３】
（方法４）
【０３１４】
UEは、互いに異なる２つのY値のうちの大きい値でAperiodic CSI reportingのtime offsetを決定する。
【０３１５】
例えば、report setting 1はY１＝｛０、１、２、３｝で定義され、report setting 2はY２＝｛１、２、３、４｝で定義できる。
【０３１６】
Yに対する（e.g. ２bits）DCIフィールドが‘００’である場合、Y１＝０、Y２＝１であるので、２つの値のうちの大きい値である‘１’にY値を決定する。
【０３１７】
Yに対する（e.g. ２bits）DCIフィールドが‘０１’である場合、Y１＝１、Y２＝２であるので、２つの値のうちの大きい値である‘２’にY値を決定する。
【０３１８】
DCIフィールド値の‘１０’及び‘１１’に対しても前記と同一な方式により決定されることができ、DCIフィールド値の‘１０’及び‘１１’に対してY値は各々‘３’、‘４’に決定される。
【０３１９】
仮に、３個のY値が定義された場合にも同一な方式を適用して３つの値のうちの最も大きい値にtime offsetが決定できる。
【０３２０】
前述したように、基地局は１つのDCIを通じてAP CSI reporting triggerをUEに指示し、triggerされたN個のAP CSI reporting settingに各々定義されたY値を用いて前述した方法（方法１乃至方法４）によってAperiodic CSI reportingのtime offsetを決定することができる。
【０３２１】
追加的に、基地局は同一DCIを通じてAP CSI reporting triggerを遂行すると共に、PUSCHを通じてのdata転送時点を指示することができる。
【０３２２】
ここで、前記PUSCHを通じてのdata転送時点は‘K２’値として定義され、予め上位layer signalingを通じて複数個のcandidate setがUEに設定される。
【０３２３】
前記candidate setのうちの１つの値がDCIフィールド（これを‘timing offset field’と称する）を通じて最終K２値に決定（または、選択）される。
【０３２４】
また、K２値を選択するDCIフィールドとY値を選択するDCIフィールドが互いに異なるフィールドで定義されるものでなく、同一なDCIフィールドで定義されている。
【０３２５】
AP CSI reporting triggerが発生した場合、UEは該当DCIフィールドをY値を選択することに使用し、PUSCH dataのschedulingが発生する場合、該当DCIフィールドをK２値を選択することに使用するように定義されている。
【０３２６】
前記DCIを通じてAP CSI reporting triggerを遂行すると同時にPUSCH dataスケジューリングが発生する場合、timing offsetフィールドの各値をY値のcandidateとして定義するか、でなければ、K２値のcandidateとして定義するかが曖昧になる問題がある。
【０３２７】
これを解決するために、前述した方法（方法１乃至方法４）をそのまま拡張適用することが可能である。
【０３２８】
即ち、前記提案方法（方法１乃至方法４）の場合、複数のY candidate setが与えられた時、timing offsetフィールドの値をどのように定義するかに対する方法として、K2 candidate setを１つのY candidate setのように取扱って方法１乃至方法４を適用することができる。
【０３２９】
例えば、方法４は以下のように拡張適用できる。
【０３３０】
UEは、互いに異なるY値及びK２値のうち、より大きい値にtiming offsetフィールドを定義する。
【０３３１】
例えば、report setting 1はY１＝｛０、１、２、３｝として定義され、report setting 2はY２＝｛１、２、３、４｝として定義され、K２＝｛３、４、５、６｝として定義されるとする。
【０３３２】
仮に、timing offsetのDCIフィールドが‘００’である場合、Y１＝０、Y２＝１、K２＝３であるので、最も大きい値である‘３’に決定する。
【０３３３】
仮に、DCIフィールドが‘０１’である場合、Y１＝１、Y２＝２、K２＝４であるので、最も大きい値である‘４’に決定する。
【０３３４】
DCIフィールド値‘１０’及び‘１１’に対しても同一な方式により決定することができ、この場合、DCI値１０、１１に対して各々‘５’及び‘６’に決定される。
【０３３５】
UEは、指示されたDCI値によってDCIを受信したslot nを基準に、（n+timing offset）slotでPUSCH dataとCSIをmultiplexingして同時に基地局に報告（または、転送）することができる。
【０３３６】
前述した方法（方法１乃至方法４）以外のA-CSI report trigger関連DCIフィールドを解釈する更に他の方法に対して説明する。
【０３３７】
（方法５）
【０３３８】
更に他の方法に、UEは互いに異なるYのcandidate set及びK2 candidate setの和集合でunion setを構成した後、n bit timing offset DCIフィールドの値をunion setの最も大きい要素から２n番目大きい要素までの値として定義する。
【０３３９】
UEは、指示されたDCI値によってDCIを受信したslot nを基準に、（n+timing offset）slotでPUSCH dataとCSIをmultiplexingして同時に基地局に報告（または、転送）する。
【０３４０】
（方法６）
【０３４１】
更に他の方法に、方法１乃至方法４によりYのcandidate setを１つのsetに構成した後、その１つのY candidate setとK２のcandidate setの和集合でunion setを構成する。
【０３４２】
そして、n bittiming offsetのDCIフィールド値をunion setの最も大きい要素から２n番目に大きい要素までの値で定義する。
【０３４３】
（方法７）
【０３４４】
方法７は、方法１乃至４を通じてYのcandidate setを１つのsetに構成した後、その１つのY candidate setのi番目要素とK２のcandidate setのi番目要素の和でtiming offsetのDCIフィールドのi番目値を定義する。
【０３４５】
例えば、Y candidate set＝｛１、２、３、４｝とK２のcandidate set＝｛５、６、７、８｝である場合、2bit timing offset DCIフィールドの００、０１、１０、及び１１に対する各々の値は１+５（６）、２+６（８）、３+７（１０）、４+８（１２）で定義できる。
【０３４６】
（方法８）
【０３４７】
方法８は、先の方法１乃至４を通じてYのcandidate setを１つのsetに構成した後、K２のcandidate setを無視し、Yのcandidate setのi番目要素の和でtiming offset DCIフィールドのi番目値を定義する。
【０３４８】
次に、AP CSI計算（calculation）のための緩和（relaxation）方法に対して説明する。
【０３４９】
UEは、自身のAP CSI calculationに対するcapabilityのうちの１つで次の通り定義されたZ値を基地局に報告する。
【０３５０】
与えられたnumerology及びCSI complexityに対するCSI only PUSCH（no HARQ ACK/NACK）を仮定することによって、ZはCSI reportingをtriggerするDCIを受信するためのPDCCH detection／decoding時間、channel estimation時間、及びCSI calculation時間に対して最小限要求されるシンボルの個数として定義される。
【０３５１】
Low complexity CSIに対し、与えられたnumerologyに対する１つのZ値は以下の表７の通り定義される。
【０３５２】
そして、high complexity Z CSIに対し、与えられたnumerologyに対する１つのZ値は以下の表７の通り定義される。
【０３５３】
【表７】
0006657474.tif 000049
【０３５４】
より具体的に、図１１はUEがDCIに対するdecodingを全て終えて、暫く後にAP CSI-RSが転送される場合を示す。
【０３５５】
この場合、UEはT時間内でDCIのdecoding、チャンネル推定、及びCSI計算を全て遂行しなければならない。   
【０３５６】
しかしながら、AP CSI-RSがDCIのdecodingが全て終わって、暫く後に転送されることによって、Tを構成する時間中DCI decodingが終わって、AP CSI-RSが転送される前までUEはチャンネル測定とCSIを計算できなくなる。
【０３５７】
したがって、UEはTとZを比較してT<Zである場合、CSIを計算（または、update）せず、最も新しく報告したCSIを転送するか、または任意のCSIを基地局に転送することができるが、T>＝Zである場合、UEはCSIを計算できなくてCSIを基地局に報告できない。
【０３５８】
したがって、図１１のような方法を有効にするために、基地局はtriggering DCIの最後のOFDM symbol以後のDCI decoding時間内にAP CSI-RSを転送しなければならない。
【０３５９】
または、AP CSIが報告される最初のOFDM symbolでZ-（decoding time）の前に基地局はAP CSI-RSを転送しなければならない。
【０３６０】
前記decoding timeはUEが別途のcapabilityを通じて基地局に報告することができる。
【０３６１】
ここで、Z-（decoding time）は第３の変数z’として定義されることができ、UEはZとz’を各々基地局に報告することができる。
【０３６２】
即ち、チャンネル測定または干渉測定に使われるAP CSI-RSの最後の受信時点とCSIが報告される開始時点との間の時間T’がz’より小さい場合、UEはCSIを計算するための時間が充分でないと判断してCSIを計算しない。
【０３６３】
したがって、UEは有効なCSIを報告せず、約束されたdummy CSI値（e.g. RI＝１、PMI＝１、CQI＝１）を基地局に報告する。
【０３６４】
または、AP CSI-RSが転送される最後のOFDM symbolとAP CSIが報告される最初のOFDM symbolの間の時間T’がZ-（decoding time）より小さい場合、UEはCSIを計算（または、update）せず、最も新しく報告したCSIを転送するか、または任意のCSIを基地局に転送する。
【０３６５】
そして、T’>＝Z-（decoding time）であり、T<Zである場合、UEはCSIを計算（または、update）せず、最も新しく報告したCSIを転送するか、または任意のCSIを転送する。
【０３６６】
仮に、T’>＝Z-（decoding time）であり、T>＝Zである場合、UEはCSIを計算し、これを基地局に報告する。
【０３６７】
前記decoding timeはUEが別途のcapabilityで基地局に報告することができる。
【０３６８】
後述する提案のように、z’が導入される場合、提案２及び３のZはz’に置換できる。
【０３６９】
説明したように、ZはDCI decoding time、channel measurement、CSI calculation、TX preparationなど、AP CSI processingと関連した全ての計算に必要な最小限の時間を意味する。
【０３７０】
そして、z’はchannel measurement、CSI calculation、及びTX preparationに必要な最小限の時間を意味する。
【０３７１】
したがって、チャンネル測定または干渉測定に使われるCSI-RSの最後の受信時点からCSIが転送される開始時点までUEに提供される時間はdecoding timeが含まれないz’を基準に設定されることが好ましい。
【０３７２】
以下の提案２及び３はA CSI report triggerの後、短時間内にCSIが報告される場合に限って適用されることに制限（または、限定）できる。
【０３７３】
例えば、Y＝０（または、Y＝１）のように、小さなY値に対してのみ後述する提案２及び３が適用できる。
【０３７４】
仮に、Y＝０である場合、CSI report triggerからchannel measure、そしてCSI reportまで１つのslotで動作されるself-contained CSI feedbackのための動作でありうる。
【０３７５】
Self-contained構造に対しては前述した内容を参考にする。
【０３７６】
そのために、reference resourceをslot nからできる限り近接するように定義し、UEがCSI report triggerからCSI報告時点の間のCSI-RSを用いてチャンネルを測定するようにする。
【０３７７】
または、Y＝０でない小さい値である場合にも（e.g. Y＝１）、基地局はCSI reportをtriggerし、短時間内にfresh（または、新たな）CSI報告を受けることが目的であるので、reference resourceをslot nからできる限り近接するように定義し、CSI報告時点に近接したfreshなCSI-RSを用いてチャンネル測定を遂行するようにすることができる。
【０３７８】
一方、Yが大きい値である場合、既にtrigger時点からreportまで長い時間がかかるので、チャンネルを測定するCSI-RSの時点はY値が小さい場合に比べて大きい問題がない。
【０３７９】
したがって、この場合は後述する提案３を適用せず、reference resourceのtime offsetを以下のようなoptionのうちの１つに設定する。
【０３８０】
まず、オプション１に対して説明する。
【０３８１】
P／SP／AP CSI-RSがA-CSI reportingのためのCSI計算に使われる時、CSI reference resourceのtime offsetは以下のように与えられたCSI latency及びnumerologyに対するZ値から誘導される（derive）。
【０３８２】
即ち、nCQI-refはスロットn-nCQI-refが有効なダウンリンクスロットに対応するように
0006657474.tif 000050
同一であるか、または
0006657474.tif 000051
より大きい値のうちの最も小さい値である（nCQI-ref is the smallest value greater than or equal to
0006657474.tif 000052
, such that slot n-nCQI-ref corresponds to a valid downlink slot）。
【０３８３】
前記の説明はP／SP CSI reportingにも同一に適用できる。
【０３８４】
次に、オプション２に対して説明する。
【０３８５】
P／SP／AP CSI-RSがA-CSI reportingのためのCSI計算に使われる時、CSI reference resourceのtime offsetは以下のように与えられたCSI latency及びnumerologyに対するZ値から誘導される（derive）。
【０３８６】
nCQI-refは、スロットn-nCQI-refが有効なダウンリンクスロットに対応するように
0006657474.tif 000053
と同一であるか、または
0006657474.tif 000054
より大きい値のうち、最も小さい値である（nCQI-ref is the smallest value greater than or equal to
0006657474.tif 000055
、such that slot n-nCQI-ref corresponds to avalid downlink slot）。
【０３８７】
前記の説明はP／SP CSI reportingにも同一に適用できる。
【０３８８】
前記オプション２の場合、reference resourceはCSI報告開始時点で０、１、２、３、…、Z symbolの前のsymbolを全く含まないようになる。
【０３８９】
現在の定義された標準によれば、チャンネル測定または干渉測定はreference resourceの後では遂行できないように定義されているので、前記オプション２だけで既に後述する提案２の条件を満たす。
【０３９０】
次に、aperiodic CSI reporttiming及びCSI relaxationと関連した事項に対して簡略に説明する。
【０３９１】
CSI calculation time Zのcandidateは前述した表７に定義されている。
【０３９２】
PUSCH上でCSIのみ転送される状況（CSI only on PUSCH）でA-CSI reportingがslot nでトリガーされる時、UEは次のような場合にA-CSI reportに対するCSIをアップデートする必要がない。
【０３９３】
−与えられたCSI complexityとnumerologyに対してM-L-N<Zである場合。
【０３９４】
−与えられたCSI complexityとnumerologyに対してAP CSI-RS resourceがslot nで転送され、M-O-N<Zである場合。
【０３９５】
ここで、Lはslot nでPDCCHの最後のシンボルを示し、MはPUSCHの開始シンボルを示し、Nはシンボルの単位（unit）でTA値（例：TA＝１．４シンボル）を示す。
【０３９６】
そして、OはCMR（channel measurement resource）に対するAP CSI-RS resourceの最後のシンボルとIMR（interference measurement resource）に対するAP CSI-RS resourceの最後のシンボルの間でより後のシンボルを示す。
【０３９７】
そして、A-CSI reportingのためのPUSCH timing offsetは以下の通り決定できる。
【０３９８】
PUSCHが単一のA-CSI reportに対してのみスケジューリングされる時、PUSCH timing offsetに対するDCIフィールドはreporting settingでYから定義される。
【０３９９】
そして、PUSCHが多数のA-CSI reportに対してのみスケジューリングされる時、PUSCH timing offsetに対するDCIフィールドはreport settingで多数のY値のうち、最大値として定義される。
【０４００】
例えば、report setting１でY＝｛１、２、３、６｝であり、report setting２でY＝｛２、３、４、５｝である場合、Y＝｛２、３、４、６｝として定義することができる。
【０４０１】
標準で定義された更に他の事項に対して説明する。
【０４０２】
低い複雑度CSI及び高い複雑度CSIの用語は、各々低遅延（low latency）CSI及び高遅延（high latency）CSIに変更できる。
【０４０３】
CSI computation capabilityに対し、２つのCSI latency classがサポートされる。
【０４０４】
Low latency CSI classは最大４個のアンテナポートを含むWB CSIとして定義され、Type-IコードブックまたはPMIが設定されない場合のみに適用可能である。
【０４０５】
High latency CSI classは、UEによりサポートされる全てのCSIのsupersetとして定義され、前記の内容はL1 RSRPに適用されない。
【０４０６】
そして、CSIがPUSCHを通じて転送される時、SLIV（start and length indicator value）及びPUSCH mapping typeはCSIがないPUSCHと同一な方式によりpusch-symbol Allocationで決定される。
【０４０７】
CSIがPUSCH上でUL-SCHとmultiplexingされる時のPUSCH slot offsetはaperiodicReportSlotOffsetでなく、pusch-symbolAllocationから指示されたK２値のみで決定される。
【０４０８】
前記の内容はCSIがdataとmultiplexingされる場合のみに適用される。
【０４０９】
ここで、aperiodicReportSlotOffset及びK２に対するcandidate valueの個数は同一である。
【０４１０】
A-CSI reportと関連した事項に対し、さらに説明する。
【０４１１】
UEがA-CSI reportのためにCSIをアップデートする必要がない時の条件に対して前述した内容に基づいてまた説明する。
【０４１２】
第１に、単一のCSIに対するA-CSI report triggerに重点をおいて、多数のCSIに対するA-CSI report triggerを説明する。
【０４１３】
図１２は、本明細書で提案する単一のCSIに対するA-CSI報告トリガーの一例を示す。
【０４１４】
より具体的に、図１２はperiodic CSI-RS及びCSI reference resourceが時間ウィンドウ（time window）T内にある単一のCSIに対するA-CSI report triggerの例を示す。
【０４１５】
この場合、UEはT内でDCIデコーディング、チャンネル推定、CSI計算、及びTx preparationを遂行しなければならない。
【０４１６】
したがって、T<Zであれば、UEはCSIをアップデートする必要がない。
【０４１７】
図１３は、本明細書で提案する周期的CSI-RSを有する単一のCSIに対するA-CSI報告トリガーの一例を示す。
【０４１８】
（提案１）
【０４１９】
単一のCSIに対するA-CSI report triggerの場合、UEはT<Zである場合、CSIをアップデートしない。
【０４２０】
ここで、Tはtriggering DCIの最後のOFDMシンボル受信時間とAP CSI reportingの最初のOFDMシンボル転送時間との間の時間間隔（time duration）である。
【０４２１】
図１２とは異なり、図１３はT>Zであるが、P CSI-RS及びreference resourceが時間ウィンドウTで遅く来る場合を示す。
【０４２２】
この場合、T>Zであるにもかかわらず、UEはあまりに遅くチャンネル推定を始めるので、CSI計算を完了できない。
【０４２３】
したがって、このような場合を防止するために、UEはAP CSI reportの最初のOFDMシンボルの前に少なくともZ個のsymbolが位置するZP／NZP CSI-RSでチャンネル／干渉測定を遂行しなければならない。
【０４２４】
（提案２）
【０４２５】
UEはAP CSI reportの最初のOFDM symbolの転送時間の前に０乃至Z個のsymbolから受信されたZP／NZP CSI-RSを通じてチャンネルまたは干渉を測定する必要がない。
【０４２６】
提案２と一致するように、CSI reference resourceのtime offsetはZから適切に誘導されなければならない。
【０４２７】
図１４及び図１５は、本明細書で提案するCSI基準資源の時間オフセットを決定する方法の一例を示す。
【０４２８】
より具体的に、図１４及び図１５はZ＝５、
0006657474.tif 000056
、及びslot nの１０番目symbolから始まるCSI reportを有するtime offsetを決定するための２つのオプションを示す。
【０４２９】
図１４は、nCQI-ref＝
0006657474.tif 000057
である時、CSI reference resource及びチャンネル測定のための有効なCSI-RS位置の一例を示す。
【０４３０】
図１４で、reference resourceはslot n-１であるので、UEはチャンネルを測定するためにスロットnの１、２、３または４symbolで潜在的なCSI-RS資源を利用できない。
【０４３１】
UEは、slot nの前の１つまたは多数個のスロットでCSI-RSからチャンネルを測定する。
【０４３２】
しかしながら、これはチャンネル測定とCSI reportとの間にあまりに多い遅延を引き起こす。
【０４３３】
結果的に、CSI triggering、チャンネル測定及びCSI reportが同一な単一スロットで遂行されるself-contained A-CSI feedbackをサポートすることができない。
【０４３４】
この問題を解決するために、図１５に図示したように、nCQI-ref＝
0006657474.tif 000058
として定義することができる。
【０４３５】
即ち、図１５はnCQI-ref＝
0006657474.tif 000059
である時、CSI reference resource及びチャンネル測定のための有効なCSI-RS位置の更に他の一例を示す。
【０４３６】
図１５で、reference resourceはslot nであり、slot nでZを超過する（beyond）幾つかのシンボルを含む。
【０４３７】
結果的に、CSI-RSがslot nで１、２、３または４番目symbol上で転送される場合、UEはこれを用いてチャンネルを測定することができ、新たなチャンネル測定によりCSIを計算することができる。
【０４３８】
（提案３）
【０４３９】
P／SP／AP CSI-RSがA-CSI reportingのためのCSI calculationに使われる時、CSI reference resourceのtime offsetは次のように与えられたCSI latencyとnumerologyに対してZ値から誘導される。
【０４４０】
ここで、nCQI-refはスロットn-nCQI-refが有効なダウンリンクスロットに対応するように
0006657474.tif 000060
同一であるか、または
0006657474.tif 000061
より大きい値のうち、最も小さい値である（nCQI_ref is the smallest value greater than or equal to 
0006657474.tif 000062
, such that slot n- nCQI_ref corresponds to a valid downlink slot)
【０４４１】
ここで、特定スロットは以下の条件を満たす場合に有効なダウンリンクスロットと考慮できる。
【０４４２】
−少なくとも１つの上位層に設定されたダウンリンクまたはflexible symbolを含み、
【０４４３】
−UEに対して設定された測定間隔（measurementgap）内におらず、
【０４４４】
−スロットでactive DL BWPはCSI報告が遂行されるDL BWPと同一であり、
【０４４５】
−CSI報告が遂行されるCSI reference resourceより遅くないようにDRS active timeでチャンネル測定のための少なくとも１つのCSI-RS転送occasion及び干渉測定のためのCSI-RS及び／又はCSI-IM occasionがある場合。
【０４４６】
前記の説明はP／SP CSI reportingにも同一に適用できる。
【０４４７】
AP CSI-RSが転送される時、図１３で説明したことと類似の問題が発生することがあり、これを図１６を参照して説明する。
【０４４８】
図１３に図示したように、AP CSI-RSは時間ウィンドウ（time window）Tの後の部分にくることを見ることができる。
【０４４９】
この場合、T>Zであるにもかかわらず、UEはあまりに遅くチャンネル推定を始めるので、CSI計算を完了できない。
【０４５０】
この問題を解決するための簡単な方法は、TとZを比較する代わりT'とZを比較するものである。
【０４５１】
ここで、T’は最新AP CSI-RS受信時間とAP CSI reportの最初のOFDMシンボル転送時間との間の時間間隔である。
【０４５２】
特に、T'<Zであれば、UEはCSIをアップデートし、最も低いCQIを報告する必要がない。
【０４５３】
より精巧なメカニズムが必要な場合、Zより小さなz’を定義し、T'とZを比較する代わりT'とZ'を比較することができる。
【０４５４】
即ち、z’はDCIのdecodingを除外したチャンネル測定、CSI計算、及びTX準備に必要な時間を意味する。
【０４５５】
Zは、チャンネル測定、CSI計算、及びTX準備以外にもDCIデコーディング時間を含む時間を意味する。
【０４５６】
但し、DCIのdecoding timeは必ずT'で考慮される必要がないので、T'に対する実際に要求される時間はZより小さい。
【０４５７】
T'に対する充分の時間が提供されなければ、UEは考慮されるチャンネル測定がないので、指定されたUCIフィールドで最も低いCQIを報告することができる。
【０４５８】
図１６は、本明細書で提案するAperiodic CSI-RSを有する単一のCSIに対するA-CSI report triggerの一例を示した図である。
【０４５９】
（提案４）
【０４６０】
AP CSI-RSを有する単一のCSIに対するA-CSI report triggerの場合、T'<Zであれば、UEはCSIを計算する必要がなく、最も低いCQIを報告する。
【０４６１】
ここで、T’は最新AP CSI-RS受信時間とAP CSI reportの最初のOFDMシンボル転送時間との間の持続時間（time duration）である。
【０４６２】
仮に、多数のN個のCSIに対するA-CSI report triggerの場合、UEがN個の並列プロセッサを有する場合、単一のCSI triggerと同一なメカニズムを使用することができる。
【０４６３】
しかしながら、N個以上のCSIがtriggerされれば、UEはtriggerされた全てのCSIに対する計算を完了できない。
【０４６４】
この場合、LTEシステムでサポートするCSI緩和（relaxation）方法をまた使用することができる。
【０４６５】
（提案５）
【０４６６】
即ち、提案５は多数のCSIに対するA-CSI report triggerの場合、LTEシステムがサポートする緩和方法を再使用するものである。
【０４６７】
CSI計算に対するUE capabilityに対して説明する。
【０４６８】
前述した提案１乃至３によってCSI processingに必要な時間が決定され、以下の表８及び表９のように示すことができる。
【０４６９】
即ち、表８はnormal UEに対するZ値であるので、全てのUEでサポートしなければならない基準値である。
【０４７０】
そして、表９はadvanced UEに対するZ値であるので、与えられたnumerology及びCSI latencyに対し、表９のZ値をサポートするか否かはUE capabilityで報告される。
【０４７１】
また、与えられたnumerology及びCSI latencyに対し、表９のZ値は表８のZ値と同一であるか、または小さくなければならない。
【０４７２】
また、Z'i、jの値はZ'に対して追加される必要がある。
【０４７３】
これは、最新のCSI-RS受信時間とAP CSI reportの最初のOFDMシンボル転送時間との間の要求される持続時間である。
【０４７４】
表８は、normal UEに対するCSI計算時間Zの一例を示す。
【０４７５】
【表８】
0006657474.tif 000063
【０４７６】
表９は、advance UEのCSI計算時間Zの一例を示す。
【０４７７】
【表９】
0006657474.tif 000064
【０４７８】
前述した提案に対し、下記のように簡略に要約する。
【０４７９】
まず、提案１は、単一のCSIに対するA-CSI report triggerに対し、T<Zである場合、UEはCSIをアップデートする必要がない。
【０４８０】
ここで、Tはtriggering DCIの最後のOFDMシンボル受信時間とAP CSI reportingの最初のOFDM symbol転送時間との間の持続時間（time duration）である。
【０４８１】
そして、提案２は、UEはAP CSI reportingの最初のOFDMシンボルの転送時間の前に０乃至Z個のsymbolで受信されるZP／NZP CSI-RSによるチャンネルまたは干渉を測定する必要がない。
【０４８２】
そして、提案３は、P／SP／AP CSI-RSがA-CSI reportingのためのCSI計算に使われる時、CSI reference resourceの時間オフセットは、次の通り与えられたCSI latencyとnumerologyに対してZから誘導される。
【０４８３】
即ち、nCQI-refはスロットn-nCQI-refが有効なダウンリンクスロットに対応するように
0006657474.tif 000065
と同一であるか、または
0006657474.tif 000066
より大きい値のうち、最も小さい値である（nCQI_ref is the smallest value greater than or equal to 
0006657474.tif 000067
, such that slot n- nCQI_ref corresponds to a valid downlink slot)。これは、P／SP CSI reportingにも同一に適用できる。
【０４８４】
そして、提案４は、AP CSI-RSを有する単一のCSIに対するA-CSI report triggerの場合、T'<Zであれば、UEはCSIを計算する必要がなく、最も低いCQI（channel quality indicator）を基地局に報告する。
【０４８５】
ここで、T’は最新AP CSI-RS受信時間とAP CSI reportの最初のOFDMシンボル転送時間との間の持続時間（time duration）である。
【０４８６】
そして、提案５は、多数のCSIに対するA-CSI report triggerの場合、LTEシステムがサポートする緩和（relaxation）方法を再使用するものである。
【０４８７】
次に、更に他の実施形態に対して説明する。
【０４８８】
CSI reference resourceの時間オフセットは、次の通り与えられたCSI latencyとnumerologyに対してZ'から誘導される。
【０４８９】
nCQI-refはスロットn-nCQI-refが有効なダウンリンクスロットに対応するように
0006657474.tif 000068
より大きいか等しい最も小さい値である。
【０４９０】
または、nCQI-refはスロットn-nCQI-refが有効なダウンリンクスロットに対応するように
0006657474.tif 000069
と同一であるか、または
0006657474.tif 000070
より大きい値のうち、最も小さい値と解釈できる。これは、少なくともaperiodic CSI reportに対しても適用される。
【０４９１】
そして、これは、AP／P／SP CSI-RSがCSI計算に使われる時に適用される。
【０４９２】
チャンネルまたは干渉測定のためにP／SP CSI-RS及び／又はCSI-IMが使われる時、UEは最後のOFDMシンボルがAP CSI reportingの最初のOFDMシンボルの転送時間の前に０乃至Z'シンボルで受信されるCSI-RS及び／又はCSI-IMに対するチャンネル及び／又は干渉を測定することを期待しない。
【０４９３】
これは唯一の条件でなく、CSI-RSはまたCSI reference resourceで、またはその前に定義されなければならない。これは、またAP CSI-RSの場合を含む。
【０４９４】
AP CSI reportの場合、P／SP CSI-RSがチャンネル及び／又は干渉測定に使われる時、UEはPDCCHのtriggerの前にCSI reference resourceより遅い時間に最新CSI-RSが受信されることと期待しない。
【０４９５】
以下の表１０で、（Z、Z'）値は全てのUEによりサポートされなければならない基準値である。
【０４９６】
normal UEに対し、以下の表１０のlow latency CSI及びhigh latency CSIに対する（Z、Z'）値が与えられたnumerologyで同一か否かはまだ決まらなかった。
【０４９７】
仮に、この２つの値が全てのnumerologyで同一な場合、low latencyとhigh latencyはnormal UEに併合される。
【０４９８】
以下の表１１で、与えられたnumerology及びCSI latencyに対して表１１の（Z、z’）値をサポートするか否かはUE capabilityで基地局に報告される。
【０４９９】
与えられたnumerology及びCSI latencyに対し、表１１の（Z、Z'）値は表１０の（Z、Z'）値と等しいか小さくなければならない。
【０５００】
表１０は、normal UEに対するCSI calculation time Zを示す。
【０５０１】
【表１０】
0006657474.tif 000071
【０５０２】
表１１は、advanced UEに対するCSI calculation time Zを示す。  
【０５０３】
【表１１】
0006657474.tif 000072
【０５０４】
更に他の実施形態として、CSI reportingと関連した内容に対して追加的に説明する。
【０５０５】
より具体的に、CSI reporting timing及びこれと関連したUE capabilityに対して説明する。
【０５０６】
以下の表１２及び表１３を通じて各々normal UEとadvanced UEに対する（Z、Z'）の具体的な値を説明する。
【０５０７】
normal UEZ'値に対し、UEはZ'シンボルの間CSI測定／計算及びチャンネルmultiplexing、CSI encoding及びmodulationを遂行すると仮定する。
【０５０８】
CSI測定及び計算時間の一部はnumerologyに依存し、６*２（μ−２）シンボルを必要とし、残りの部分及びチャンネル多重化／CSI encoding／modulationは各々high latencyに対して２０個のsymbolを、low latencyに対して１３個のsymbolを使用する。
【０５０９】
結果的に、low latency及びhigh latencyに対するz’は各々１３+６*２^（μ-２）及び２０+６*２^（μ-２）である。
【０５１０】
normal UEのZ値に対し、CSI-RSが最終PDCCHシンボルの次のシンボルに位置すると仮定する。
【０５１１】
また、DCIデコーディングの後にCSI processingが始まることができると仮定する。
【０５１２】
DCIデコーディング時間は、PDCCH CE／demultiplexing／decodingのようなnumerologyに依存する部分とnumerologyと独立した部分を含んで４+１０*２^（μ-２）がかかる。
【０５１３】
結果的に、ZはDCIデコーディング時間+CSI処理時間、即ち４+１０*２（μ-２）+Z'となる。
【０５１４】
Advanced UEの場合、z’は５個のシンボルの間DCIデコーディングが遂行されるので、各々low latency及びhigh latencyに対して７シンボル及び１４シンボルであり、ZはZ'+５である。
【０５１５】
表１２は、normal UEに対するCSI計算時間（Z、Z'）を示す。
【０５１６】
【表１２】
0006657474.tif 000073
【０５１７】
表１３は、advanced UEに対するCSI計算時間（Z、Z'）を示す。
【０５１８】
【表１３】
0006657474.tif 000074
【０５１９】
前記の事項と関連した多様な提案に対して説明する。
【０５２０】
後述する提案は前述した提案と別個に適用されるか、または前述した提案と共に適用できる。
【０５２１】
（提案１’）
【０５２２】
Normal UE及びadvanced UEに対する最小要求CSI processing時間として前記の表１２及び表１３の（Z、Z'）値を各々採択する。
【０５２３】
CSI及びdata multiplexingと関連して、１つの残った問題はUEが同時にCSI処理及びデータエンコーディングを完了することに必要なシンボル数である。
【０５２４】
CSIとdataが多重化される時、data RE（resource element）割当はCSI payloadに依存するが、CSI／ペイロードサイズはCRI／RI／０でない振幅係数（amplitude coefficient）またはCSI omissionの数によって変わる。
【０５２５】
結果的に、CSI処理及びデータエンコーディングは完全に並列方式により遂行できない。
【０５２６】
具体的に、Type I CSIの場合、Part１のCRI／RIは、PMI及びCQIのようなPart 2 CSIのペイロードサイズを決定する。
【０５２７】
Type II CSIの場合、RI／Part 1 CSIの０でない振幅係数の数はPMI及びCQIのようなPart 2 CSIのペイロードサイズを決定する。
【０５２８】
したがって、CSIとdataが多重化される時、（Z、Z'）の代りにUEはCSIとデータを同時に準備するために、少なくとも（Z+C、Z'+C）シンボルを必要とする。
【０５２９】
ここで、CはN２より小さいか等しい。
【０５３０】
（提案２’）
【０５３１】
AP CSI及びPUSCHに対するデータが多重化される時、UEはM-L-N<Z+Cのようなシンボルオフセットを有するスケジューリングDCIを受信することと期待されない。
【０５３２】
ここで、LはA-CSI reportをトリガーリングするPDCCHの最後のシンボルであり、LはPUSCHの開始シンボルであり、Nはシンボル単位のTA値であり、CはN２と等しいか小さい。
【０５３３】
（提案３’）
【０５３４】
AP CSIとPUSCHに対するデータが多重化される時、AP CSI-RSがチャンネル測定に使われる場合、UEはM-O-N<Z'+Cのようなシンボルオフセットを有するスケジューリングDCIを受信することと期待されない。
【０５３５】
ここで、Nはシンボル単位のTA値であり、OはCMRに対するAP CSI-RS resourceの最後のシンボル、IM（存在する場合）に対する非周期的NZP CSI-RSの最後のシンボルと（存在する場合）非周期的なCSI-IMの最後のシンボルの間でさらに後の値であり、CはN２と等しいか、またはそれより小さい。
【０５３６】
また、AP CSI及びPUSCHに対するデータが多重化される時、CSI reference resourceの時間位置はAP CSI only場合と同一な方式により決定されるが、時間位置は、Z'の代りにZ'+Cに基づいて決定される。
【０５３７】
（提案４’）
【０５３８】
AP CSIとPUSCHに対するデータが多重化される時、CSI reference resourceの時間オフセットは次のように与えられたCSI latencyとnumerologyに対してZ'+Cから誘導される。
【０５３９】
CSI reference resourceの時間オフセットは、次のように与えられたCSI latencyとnumerologyに対してZ'から誘導される。
【０５４０】
nCQI-refはスロットn-nCQI-refが有効なダウンリンクスロットに対応するように
0006657474.tif 000075
より大きいか等しい最小値である。
【０５４１】
チャンネル測定及び／又は干渉測定のためにP／SP CSI-RS及び／又はCSI-IMが使われる時、UEはAP CSI報告の最初のOFDMシンボルの転送時間の前に最後のOFDMシンボルが０乃至Z'+Cシンボルに受信されるCSI-RS及び／又はCSI-IMに対するチャンネル及び／又は干渉を測定することを期待しない。
【０５４２】
更に他のissueは、ビーム報告に対する計算時間、即ちCRI及びL1 RSRP（layer1 reference signal received power）である。
【０５４３】
L1 RSRPが単一ポートの電力測定であり、同一な計算電力がCSI報告及びビーム報告に使われる場合、low latency CSIと見做すことが良い。
【０５４４】
また、計算複雑性を減らすために、ビーム報告のためのCSI-RS resourceの数を制限することができる。
【０５４５】
（提案５’）
【０５４６】
CSI reportのように、low latency CSIでビーム報告に同一な（Z、Z'）を適用する。
【０５４７】
次に、多数のN個のCSIに対するA-CSI report triggerの場合、UEがX並列プロセッサを有し、X≧Nである場合、緩和（relaxation）無しで単一CSI report triggerと同一なメカニズムを使用することができる。
【０５４８】
しかしながら、X個以上のCSIがトリガーされれば、UEはトリガーされた全てのCSIに対する計算を完了できない。
【０５４９】
この場合、LTEシステムでサポートする緩和方法をまた使用することができる。
【０５５０】
特に、UEが報告されないCSI（s）及びN>Xを有しなければ、UEはN-XCSI（s）を計算する必要がない。
【０５５１】
（提案６’）
【０５５２】
多数のCSIに対するA-CSI report triggerの場合、LTEシステムがサポートする緩和方法を再使用することができる。
【０５５３】
具体的に、UEがX個の並列CSIプロセッサ、N個の報告されないCSI（s）及びN>Xである場合、UEはN-X最新トリガーCSIをアップデートする必要がない。
【０５５４】
P／SP CSI reportingに対するreference resourceの時間位置と関連して、AP CSI reportingに対するreference resourceの時間位置と同一な方式により適用することができる。
【０５５５】
（提案７’）
【０５５６】
P／SP CSI reportingに対するreference resource時間位置はAP CSI reportingに対するreference resource時間位置と同一な方式により決定できる。
【０５５７】
CSI緩和（relaxation）と関連した事項に対し、より具体的に説明する。
【０５５８】
Xは、同時にCSIをアップデートすることができる最大個数に対するcapabilityである。
【０５５９】
仮に、N>X個のCSI reportのCSI処理時間間隔が時間的に重複する場合、UEはN-X個のCSI reportをupdateする必要がない。
【０５６０】
CSI処理時間間隔（processing time interval）はsymbol Sの開始からsymbol Eの最後までの時間間隔である。
【０５６１】
ここで、periodic及びsemi-persistent CSI reportingに対し、
【０５６２】
（１）Alt．１の場合、
【０５６３】
Sは、CQI reference resource slotの開始シンボルである。
【０５６４】
（２）Alt．２の場合、
【０５６５】
SはE-Z'（または、E-（Z'+１））であり、EはCSI reportの開始シンボルである。
【０５６６】
NRでsymbol levelでchannel measure可能なCSI-RSの位置（即ち、E-z’以下のsymbolまたはE-（z’+１）以下のsymbolに位置したCSI-RSをmeasureする）が設定されることによって、Alt．２はCSI processingが始まることができる最も遅い時点を提案するものである。
【０５６７】
即ち、UEは遅くともAlt．２のS時点からはCSI processingを始めることができる。
【０５６８】
（３）Alt．３の場合、
【０５６９】
SはCSI report-z’の開始symbol（または、CSI report -（z’+１）の開始symbol）、または、開始symbolの前の時点のうち最新の時点に受信された（該当CSI計算に使われる）CSI-RSの最後のsymbolの位置である。
【０５７０】
UEは、この時点のCSI-RSを用いてCSI計算を始めるので、Sに適合し、E＝S+z’を満たす。
【０５７１】
次に、Periodicまたはsemi-persistent CSI-RSを有するCSI report及びCSI-IMに対し、
【０５７２】
（１）Alt．１の場合、
【０５７３】
reference resourceがaperiodic CSIトリガーリングを有するPDCCHの前に位置すれば、Sはaperiodic CSIトリガーリングを有するPDCCHの最後のシンボルであり、E＝S+Zである。
【０５７４】
そうでない場合、SはE-Z'であり、EはCSI reportの開始シンボルである。
【０５７５】
（２）Alt．２の場合、
【０５７６】
CSI reportの開始シンボル-Z'（または、CSI reportの開始シンボル-（Z'+１））がaperiodic CSIトリガーリングを有するPDCCHの前に位置すれば、Sはaperiodic CSI triggeringを有するPDCCHの最後のシンボル（または、Sはaperiodic CSI triggering+１を有するPDCCHの最後のシンボル）であり、E＝S+Zである。
【０５７７】
即ち、測定可能なCSI-RS受信がPDCCH以前である場合、UEはPDCCHを受信した後からCSI計算を始めることができる。
【０５７８】
CSI計算が終わる時点は、PDCCH受信後、CSI reportが完了するまでかかる最小時間がZであるので、S+Zとなる。
【０５７９】
そうでない場合、SはE-z’（または、E−（z’+１））であり、EはCSI reportの開始symbolである。
【０５８０】
即ち、測定可能なCSI-RS受信がPDCCH以後である場合、UEはCSI-RSを受信した後からCSI計算を始めることができる。
【０５８１】
CSI計算が終わる時点は、CSI-RS受信後、CSI報告が完了するまでかかる最小時間がz’であるので、S+z’となる。
【０５８２】
（３）Alt．３の場合、
【０５８３】
CSI report-z’の開始symbol（または、CSI report−（z’+１）の開始symbol）時点またはその前に受信された最新のCSI-RSを‘reference CSI-RS’とする。仮にreference CSI-RSの最後のsymbolがaperiodic CSI triggeringを有するPDCCHの前に位置する場合、Sはaperiodic CSI triggeringを有するPDCCHの最後のsymbol（または、aperiodic CSI triggering+１を有するPDCCHの最後のsymbol）であり、E＝S+Zである。
【０５８４】
即ち、測定可能なCSI-RS受信がPDCCH以前である場合、UEはPDCCHを受信した後からCSI計算を始めることができる。
【０５８５】
CSI計算が終わる時点は、PDCCH受信後、CSI reportが完了するまでかかる最小時間がZであるので、S+Zとなる。
【０５８６】
そうでない場合、SはE-z’（または、E−（z’+１））であり、EはCSI reportの開始symbolである。
【０５８７】
即ち、測定可能なCSI-RS受信がPDCCH以後である場合、UEはCSI-RSを受信した後からCSI計算を始めることができる。
【０５８８】
CSI計算が終わる時点は、CSI-RS受信後、CSI reportが完了するまでかかる最小時間がz’であるので、S+z’となる。
【０５８９】
（４）Alt．４の場合、
【０５９０】
SはE-z’（または、E−（z’+１））であり、EはCSI reportの開始symbolである。
【０５９１】
次に、Aperiodic CSI-RSを有するaperiodic CSI report及びCSI-IMに対し、
【０５９２】
S1は、aperiodic CSI triggeringを有するPDCCHの最後のシンボルである。
【０５９３】
S2は、CMRに対するaperiodic CSI-RSの最後のシンボル、IMRに対するaperiodic CSI-RSの最後のシンボル、aperiodic CSI-IMの最後のシンボルのうち、後のシンボルである。
【０５９４】
（１）Alt．１の場合、
【０５９５】
仮に、
0006657474.tif 000076
（即ち、S1でZ symbolsだけ足したOFDM symbol位置がS2でz’symbolsだけ足したOFDM symbol位置の後にあれば）である場合、S＝S1であり、E＝S1+Zである。
【０５９６】
そうでない場合、S＝S2であり、E＝S2+Z´である。
【０５９７】
UEは、S1+ZとS2+Z’の２時点のうち、より遅い時点にCSI processingを終了する。
【０５９８】
したがって、Eは２つのうち、より遅い時点に設定され、２つのうち、より遅く完了することの開始時点をCSI processing始めと仮定する。
【０５９９】
（２）Alt．２の場合、
【０６００】
S＝S2に設定する。
【０６０１】
仮に、S1+Z>S2+Z（即ち、S1でZ symbolsだけ足したOFDM symbol位置がS2でz’symbolsだけ足したOFDM symbol位置の後にあれば）である場合、E＝S1+Zである。そうでない場合、E＝S2+Z’である。
【０６０２】
ここで、Alt．２でCSI process終了時点はAlt．１と同一であるが、開始時点はチャンネル及び／又は干渉推定に使われるS2に固定する。
【０６０３】
なぜならば、AP CSI-RSは常にPDCCH受信の後に受信できるように制限されるが、この場合、少なくともCSI-RSが受信完了した時点でUEがCSI processを始めることができるためである。
【０６０４】
（３）Alt．３の場合、
【０６０５】
Sは、E-z’（または、E-(z’+１)）であり、EはCSI reportの始めるsymbolである。
【０６０６】
P／SP CSI-RS及び／又はCSI-IM（interference measurement）を用いてCSIを計算する場合、測定可能なCSI-RSが時間軸（time domain）に複数個存在する。
【０６０７】
UEは、CSI reporting時点を基準に、できる限り、新しく受信したCSI-RSを測定してCSIを計算することによって、freshなCSIを得ることができる。
【０６０８】
この時にも勿論、UEのCSI計算時間を考慮してreporting時点-z’の前に位置したCSI-RSを測定しなければならない。
【０６０９】
しかしながら、このCSI（‘CSI１’という）計算時間が他のCSI（‘CSI２’という）計算時間と重複し、一度に計算できるCSI個数を超える場合、UEは一部のCSIを計算できなくなる。
【０６１０】
このような問題を解決するために、CSI１の計算時間をCSI２と重複しないように、より以前の時間に操り上げることができる。
【０６１１】
これは、CSI１がP／SP CSI-RS及び／又はCSI-IMを用いて計算され、P／SP CSI-RS及び／又はCSI-IMは時間軸に複数個存在するので、より以前の時間に受信したP／SP CSI-RS及び／又はCSI-IMを用いて予めCSI１を計算できるためである。
【０６１２】
但し、あまりに早くCSI１を計算する場合、CSIがoutdatedされるので、このような場合を避けるためにpotential intervalを導入し、potential interval内で受信したP／SP CSI-RS及び／又はCSI-IMを用いて予めCSI１を計算することができる。
【０６１３】
potential interval（即ち、以下に提案したN値）は基地局が決定してUEに指示してくれるか、または、UEが決定後、基地局に報告することができる。
【０６１４】
前記potential intervalは“reporting時点−z’”で終了し、終了時点−N時点で始まる。
【０６１５】
多数のCSIが同一PUSCHを通じて報告される場合、該当多数のCSIは一度にchannel multiplexing／encoding／modulationされるので、多数のCSIが異なるPUSCHを通じて報告される場合より小さなprocessing timeを要求する。
【０６１６】
したがって、多数のCSIが同一PUSCHを通じて報告される場合、そのうちの１つのCSIはCSI processingtime Tが必要であるが、残りのCSIは“T-channel multiplexing／encoding／modulation”に必要な時間のみ要求される。
【０６１７】
したがって、CSI relaxationのためにprocessing timeを定義する時、残りのCSIは“T-channel multiplexing／encoding／modulation”として定義され、その結果、更に他のCSIとprocessing timeが重複する可能性を減らすことができる。
【０６１８】
そして、Periodicまたはsemi persistent／CSI-RSを用いてチャンネル及び／又は干渉を測定する場合、測定可能なCSI-RSは時間軸に多数個存在することができる。
【０６１９】
この場合、UEはCSI reportingを始める最初のOFDM symbolを基準に、z’（または、z’+１）symbolの前に存在するCSI-RSを測定してCSIを計算するようになる。
【０６２０】
したがって、UEがCSI計算のためにCSIを測定する最も遅い時点は“CSI reportingを始める最初のOFDM symbolを基準に、z’（または、z’+１）symbolの前のsymbol”となる。
【０６２１】
したがって、CSI processingの開始時点は“CSI reportingを始める最初のOFDM symbolを基準に、z’（または、z’+１）symbolの前のsymbol”に設定することが好ましい。
【０６２２】
そして、CSI processingの終了時点はCSI reportingを始める最初のOFDM symbolに設定することが好ましい。
【０６２３】
一方、Aperiodic CSI-RSを用いてチャンネル及び／又は干渉を測定する場合、測定可能なCSI-RSは時間軸に１つ存在することができる。
【０６２４】
したがって、CSI processingの開始時点は“AP CSI-RS及び／又はAP CSI-IMが受信されるまさに最後のsymbol”に設定することが好ましい。
【０６２５】
Periodicまたはsemi persistent CSI reportingである場合、reporting時点は予め約束されている。
【０６２６】
したがって、UEはCSI reportingを始める最初のOFDM symbolを基準に、z’（または、z’+１）symbolの前に存在する最近のCSI-RSの位置を知っている。
【０６２７】
したがって、該当CSI-RSから計算を始めることができるので、Sは該当CSI-RSの最後のOFDM symbolとなり、EはS+z’となる。
【０６２８】
AP CSI reporingである場合、AP CSI-RSを用いる場合、CSI計算に使われるCSI-RSは時間軸に１つ存在する。
【０６２９】
勿論、CMR用とIMR用のCSI-RSが異なるので、各用途用CSI-RSは時間軸に１つ存在する。
【０６３０】
したがって、該当CSI-RSから計算を始めることができるので、Sは該当CSI-RSの最後のOFDM symbolとなり、EはS+z’となる。
【０６３１】
AP CSI reportingである場合、P／SP CSI-RSを用いる場合、CSI計算に使われる最新のCSI-RSがDCIの前に受信できる。
【０６３２】
したがって、該当CSI-RSの最後のOFDM symbolをSとする場合、UEは該当CSIがtriggerされるか、またはされないかを知らない時点でCSIを計算し始める。
【０６３３】
仮に、triggerされない場合、UEはcomputation powerを浪費するようになり、他のCSI計算のために該当computation powerを使用できなくなる問題が発生する。
【０６３４】
これを解決するために、S＝E-z’として定義し、EはPUSCH CSI reportingの最初のシンボルとして定義する。
【０６３５】
前記互いに異なるAlt．で提案したSとEに対して多様な組合せが可能であり、該当する組合せも、本明細書で提案する方法に適用できることは勿論である。
【０６３６】
例えば、Alt．１のSとAlt．２のEによってS、Eが決定できる。
【０６３７】
そして、前述した提案２及び提案３で、z’はz’-１に取り替えて適用できる。
【０６３８】
なぜならば、UEはCSI-RS及び／又はCSI-IMからCSI reportingの開始symbolまでz’時間が与えられてもCSIを計算することに問題がないので、z’-１に取り替えて適用することができる。
【０６３９】
同様の理由により、前述した提案４で、z’はz’-１に取り替えて適用することができる。
【０６４０】
端末及び基地局の動作方法
【０６４１】
以下、前述した本明細書で提案する方法を遂行するための端末及び基地局の動作と関連して図１７乃至図２３を参照して説明する。
【０６４２】
図１７は、本明細書で提案するCSI報告を遂行する端末の動作方法の一例を示した順序図である。
【０６４３】
まず、端末は非周期的（aperiodic）CSI報告をトリガーする（triggering）ダウンリンク制御情報（downlink control information、DCI）を基地局から受信する（Ｓ１７１０）。
【０６４４】
そして、前記端末は前記非周期的CSI報告と関連したCSI基準資源（reference resource）を決定する（Ｓ１７２０）。
【０６４５】
前記CSI基準資源は、時間領域（timedomain）でスロットn-nCQI-refに決定できる。
【０６４６】
具体的に、前記nCQI-refは前記スロットn-nCQI-refが有効なダウンリンクスロットに対応するようにfloor（第１パラメータ／第２パラメータ）と同一であるか、または大きい値のうち、最も小さい値でありうる。
【０６４７】
ここで、特定スロットは以下の条件を満たす場合に有効なダウンリンクスロットと考慮できる。
【０６４８】
−少なくとも１つの上位層に設定されたダウンリンクまたはflexible symbolを含み、
【０６４９】
−UEに対して設定された測定間隔（measurementgap）内におらず、
【０６５０】
−スロットでactive DL BWPはCSI報告が遂行されるDL BWPと同一であり、
【０６５１】
−CSI報告が遂行されるCSI reference resourceより遅くないようにDRS active timeでチャンネル測定のための少なくとも１つのCSI-RS転送occasion及び干渉測定のためのCSI-RS及び／又はCSI-IM occasionがある場合。
【０６５２】
ここで、前記第１パラメータは前記CSIを計算（computation）するための時間と関連したパラメータであり、前記第２パラメータは１つのスロット内のシンボルの個数を示すパラメータでありうる。
【０６５３】
より具体的に、前記第１パラメータは特定数のシンボル（z’）で表現され、前記第２パラメータは
0006657474.tif 000077
で表現できる。
【０６５４】
そして、前記第２パラメータは１４symbolでありうる。
【０６５５】
そして、前記第１パラメータはCSI遅延（latency）及びヌメロロジー（numerology）に基づいて決定できる。
【０６５６】
前記CSI遅延（latency）は、CSI計算（computation）delayで表現できる。
【０６５７】
そして、前記端末は前記CSI基準資源に基づいてスロット（slot）n上で前記CSIを基地局に報告する（Ｓ１７３０）。
【０６５８】
追加的に、前記端末は非周期的CSI-RS（reference signal）を前記基地局から受信する。
【０６５９】
そして、前記端末は前記非周期的CSI-RS及び前記CSI基準資源に基づいて前記CSIを計算（computation）する。
【０６６０】
前記CSIを計算する過程はステップＳ１７３０の前に遂行されることが好ましい。
【０６６１】
ここで、前記非周期的CSI-RSは、前記DCIの後に受信できる。
【０６６２】
また、前記端末は前記第１パラメータを含む能力（capability）情報をステップＳ１７１０の前に前記基地局に転送することができる。
【０６６３】
前記DCIは、前記スロットn以外のスロットで受信できる。
【０６６４】
前述した図１７の端末動作は、以下のように解釈されることもできる。
【０６６５】
端末はスロットnで前記端末により遂行される非周期的（aperiodic）CSI報告と関連したダウンリンク制御情報（downlink control information、DCI）を基地局から受信する。
【０６６６】
そして、前記端末は前記CSIを計算するための時間と関連したz’シンボルの数に基づいてnCQI-ref値を決定する。
【０６６７】
そして、前記端末は非周期的CSI報告のために使われる時間領域でスロットn-nCQI-refとなるCSI基準資源（reference resource）を決定する。
【０６６８】
そして、前記端末は前記スロットn-nCQI-refとなるCSI基準資源に基づいて前記スロットnで前記非周期的CSI報告を前記基地局に転送する。
【０６６９】
ここで、前記nCQI-refは前記スロットn-nCQI-refが有効なダウンリンクスロット基準を満たすように
0006657474.tif 000078
と同一であるか、または大きい値のうち、最も小さい値でありうる。
【０６７０】
前記
0006657474.tif 000079
は、floor関数（function）であり、前記
0006657474.tif 000080
は１つのスロットでシンボルの数を示す。
【０６７１】
前記有効なダウンリンクスロット基準は前記z’シンボルの数及びDCIプロセシング時間（processingtime）に基づくものであり、前記
0006657474.tif 000081
はスロットで１４シンボルと同一でありうる。
【０６７２】
追加的に、前記端末は前記基地局からスロットn-nCQI-refとなるCSI基準資源で非周期的CSI-RS（reference signal）を受信し、前記非周期的CSI-RSに基づいてCSIを決定し、前記CSIに基づいて前記非周期的CSI報告を生成するステップをさらに含むことができる。
【０６７３】
そして、前記端末は前記CSI複雑度（complexity）及びサブキャリア間隔（subcarrier spacing）に基づいて前記z’シンボルの数を決定することができる。
【０６７４】
ここで、前記z’シンボルの数はDCIプロセシング時間を含まない。
【０６７５】
そして、前記端末は前記z’シンボルの数に基づいて、１つのスロットでシンボルの数に基づいて前記nCQI-ref値を決定することができる。
【０６７６】
また、前記端末は前記非周期的CSI報告が遂行される前記スロットn以外のスロットで前記DCIを受信することができる。
【０６７７】
また、０と同一なnCQI-ref値に基づいて前記非周期的CSI報告はDCIを受信するスロットと同一なスロットで遂行できる。
【０６７８】
図１８は、本明細書で提案するCSI報告を受信する基地局の動作方法の一例を示した順序図である。
【０６７９】
まず、基地局は非周期的（aperiodic）CSI報告をトリガーする（triggering）ダウンリンク制御情報（downlink control information、DCI）を端末に転送する（Ｓ１８１０）。
【０６８０】
そして、前記基地局はスロット（slot）n上で前記非周期的CSI報告を前記端末から受信する（Ｓ１８２０）。
【０６８１】
ここで、前記非周期的CSI報告はCSI基準資源（reference resource）と関連し、前記CSI基準資源は時間領域（timedomain）でスロットn-nCQI-refに決定できる。
【０６８２】
この際、前記nCQI-refは前記スロットn-nCQI-refが有効なダウンリンクスロットに対応するようにfloor（第１パラメータ／第２パラメータ）と同一であるか、または大きい値のうち、最も小さい値でありうる。
【０６８３】
ここで、前記第１パラメータは前記CSIを計算（computation）するための時間と関連したパラメータであり、前記第２パラメータは１つのスロット内シンボルの個数を示すパラメータでありうる。
【０６８４】
より具体的に、前記第１パラメータは特定数のシンボル（z’）で表現され、前記第２パラメータは
0006657474.tif 000082
で表現できる。
【０６８５】
そして、前記第２パラメータは１４symbolでありうる。
【０６８６】
そして、前記第１パラメータはCSI遅延（latency）及びヌメロロジー（numerology）に基づいて決定できる。
【０６８７】
前記CSI遅延（latency）は、CSI計算（computation）delayで表現できる。
【０６８８】
追加的に、前記基地局は非周期的CSI-RS（reference signal）を前記端末に転送することができる。
【０６８９】
この際、前記非周期的CSI-RSは前記DCIの後に前記端末に転送できる。
【０６９０】
そして、前記基地局はステップＳ１８１０の前に前記第１パラメータを含む能力（capability）情報を前記端末から受信することができる。
【０６９１】
ここで、前記DCIは前記スロットn以外のスロットから転送できる。
【０６９２】
後述する図１９乃至図２３を参照して、本明細書で提案するCSI報告を遂行する方法が端末で具現される過程に対し、より具体的に説明する。
【０６９３】
まず、無線通信システムでCSI（Channel State Information）を報告（report）するための端末は無線信号を送受信するためのRF（Radio Frequency）モジュールと、前記RFモジュールと機能的に連結されているプロセッサと、を含んで構成できる。
【０６９４】
前記端末のRFモジュールは非周期的（aperiodic）CSI報告をトリガーする（triggering）ダウンリンク制御情報（downlink control information、DCI）を基地局から受信する。
【０６９５】
そして、前記プロセッサは前記非周期的CSI報告と関連したCSI基準資源（reference resource）を決定するように制御する。
【０６９６】
前記CSI基準資源は、時間領域（timedomain）でスロットn-nCQI-refに決定できる。
【０６９７】
前記nCQI-ref値は前記CSIを計算（computation）するための時間と関連した第１パラメータに基づいて決定できる。
【０６９８】
そして、前記第１パラメータはCSI遅延（latency）及びヌメロロジー（numerology）に基づいて決定できる。
【０６９９】
前記CSI遅延（latency）は、CSI計算（computation）delayで表現できる。
【０７００】
具体的に、前記nCQI-refは前記スロットn-nCQI-refが有効なダウンリンクスロットに対応するようにfloor（第１パラメータ／第２パラメータ）と同一であるか、または大きい値のうち、最も小さい値でありうる。
【０７０１】
前記第２パラメータは１つのスロット内のシンボルの個数を示すパラメータであって、予め決まった値でありうる。
【０７０２】
より具体的に、前記第１パラメータは特定数のシンボル（z’）で表現され、前記第２パラメータは
0006657474.tif 000083
で表現できる。
【０７０３】
そして、前記第２パラメータは１４symbolでありうる。
【０７０４】
図１９を参照して端末でnCQI_REF値が算出される具体的な方法に対して説明する。
【０７０５】
即ち、図１９は本明細書で提案するnCQI_REF値に対する具現化方法の一例を示す。
【０７０６】
まず、端末のメモリーは予め定義された第２パラメータ値を格納する。
【０７０７】
そして、端末のプロセッサは入力される第１パラメータ値と前記メモリーに格納された第２パラメータ値を用いて前記nCQI_REF値を算出することができる。
【０７０８】
前記第１パラメータ値は、CSI latency（または、CSI computation delay）とヌメロロジー（μ）に基づいて決定される。
【０７０９】
図１９に図示したように、CSI latency１であり、ヌメロロジー（μ）が０、１、２、３である場合、第１パラメータ値は各々８、１１、２１、３６であり、これに対応するnCQI_REF値は０、０、１、２である。
【０７１０】
そして、CSI latency ２−１であり、ヌメロロジー（μ）が０、１、２、３である場合、第１パラメータ値は各々１６、３０、４２、８５であり、これに対応するnCQI_REFは１、２、３、６である。
【０７１１】
そして、CSI latency ２−２であり、ヌメロロジー（μ）が０、１、２、３である場合、第１パラメータ値は各々３７、６９、１４０、１４０であり、これに対応するnCQI_REFは２、４、１０、１０である。
【０７１２】
そして、前記端末のRFモジュールは前記CSI基準資源に基づいてスロット（slot）n上で前記CSIを基地局に報告する。
【０７１３】
追加的に、前記端末のRFモジュールは非周期的CSI-RS（reference signal）を前記基地局から受信する。
【０７１４】
そして、前記端末のプロセッサは前記非周期的CSI-RS及び前記CSI基準資源に基づいて前記CSIを計算（computation）する。
【０７１５】
前記端末のプロセッサはCSIに対する計算を前記端末のRFモジュールが前記CSIを報告する前に遂行することが好ましい。
【０７１６】
ここで、前記非周期的CSI-RSは前記DCIの後に受信できる。
【０７１７】
また、前記端末のRFモジュールは前記第１パラメータを含む能力（capability）情報を前記DCIを受信する前に前記基地局に転送することができる。
【０７１８】
前記DCIは、前記スロットn以外のスロットで受信できる。
【０７１９】
後述する図１９から図２３を参照して、本明細書で提案するCSI報告を遂行する方法が基地局で具現される過程に対し、より具体的に説明する。
【０７２０】
まず、無線通信システムでCSI（Channel State Information）報告（report）を受信するための基地局は無線信号を送受信するためのRF（Radio Frequency）モジュールと、前記RFモジュールと機能的に連結されているプロセッサと、を含んで構成できる。
【０７２１】
まず、前記基地局のRFモジュールは非周期的（aperiodic）CSI報告をトリガーする（triggering）ダウンリンク制御情報（downlink control information、DCI）を端末に転送する。
【０７２２】
そして、前記基地局のRFモジュールはスロット（slot）n上で前記非周期的CSI報告を前記端末から受信する。
【０７２３】
ここで、前記非周期的CSI報告はCSI基準資源（reference resource）と関連し、前記CSI基準資源は時間領域（timedomain）でスロットn-nCQI-refに決定できる。
【０７２４】
この際、前記nCQI-refは前記スロットn-nCQI-refが有効なダウンリンクスロットに対応するようにfloor（第１パラメータ／第２パラメータ）と同一であるか、または大きい値のうち、最も小さい値でありうる。
【０７２５】
ここで、前記第１パラメータは前記CSIを計算（computation）するための時間と関連したパラメータであり、前記第２パラメータは１つのスロット内のシンボルの個数を示すパラメータでありうる。
【０７２６】
より具体的に、前記第１パラメータは特定数のシンボル（z’）で表現され、前記第２パラメータは
0006657474.tif 000084
で表現できる。
【０７２７】
そして、前記第２パラメータは１４symbolでありうる。
【０７２８】
そして、前記第１パラメータはCSI遅延（latency）及びヌメロロジー（numerology）に基づいて決定できる。
【０７２９】
前記CSI遅延（latency）はCSI計算（computation）delayで表現できる。
【０７３０】
追加的に、前記基地局のRFモジュールは非周期的CSI-RS（reference signal）を前記端末に転送することができる。
【０７３１】
この際、前記非周期的CSI-RSは前記DCIの後に前記端末に転送できる。
【０７３２】
そして、前記基地局のRFモジュールは前記DCIを転送する前に前記第１パラメータを含む能力（capability）情報を前記端末から受信することができる。
【０７３３】
ここで、前記DCIは前記スロットn以外のスロットから転送できる。
【０７３４】
本発明が適用できる装置一般
【０７３５】
図２０は、本明細書で提案する方法が適用できる無線通信装置のブロック構成図を例示する。
【０７３６】
図２０を参照すると、無線通信システムは基地局２０１０と基地局領域内に位置した多数の端末２０２０を含む。
【０７３７】
前記基地局と端末は各々無線装置で表現されることもできる。
【０７３８】
基地局は、プロセッサ（processor）２０１１、メモリー（memory）２０１２、及びRFモジュール（radio frequency module）２０１３を含む。プロセッサ２０１１は先の図１から図１９で提案された機能、過程及び／又は方法を具現する。無線インターフェースプロトコルの階層はプロセッサにより具現できる。メモリーはプロセッサと連結されて、プロセッサを駆動するための多様な情報を格納する。RFモジュールはプロセッサと連結されて、無線信号を送信及び／又は受信する。
【０７３９】
端末は、プロセッサ２０２１、メモリー２０２２、及びRFモジュール２０２３を含む。
【０７４０】
プロセッサは先の図１から図１９で提案された機能、過程及び／又は方法を具現する。無線インターフェースプロトコルの階層はプロセッサにより具現できる。メモリーはプロセッサと連結されて、プロセッサを駆動するための多様な情報を格納する。RFモジュールはプロセッサと連結されて、無線信号を送信及び／又は受信する。
【０７４１】
メモリー２０１２、２０２２はプロセッサ２０１１、２０２１の内部または外部にあることができ、よく知られた多様な手段によりプロセッサと連結できる。
【０７４２】
また、基地局及び／又は端末は１つのアンテナ（single antenna）または多重アンテナ（multiple antenna）を有することができる。
【０７４３】
アンテナ２０１４、２０２４は無線信号を送信及び受信する機能を遂行する。
【０７４４】
図２１は、本発明の一実施形態に従う通信装置のブロック構成図を例示する。
【０７４５】
特に、図２１は先の図２０の端末をより詳細に例示する図である。
【０７４６】
図２１を参照すると、端末はプロセッサ（または、ディジタル信号プロセッサ（DSP：digital signal processor）２１１０、RFモジュール（RF module）（または、RFユニット）２１３５、パワー管理モジュール（power management module）２１０５、アンテナ（antenna）２１４０、バッテリー（battery）２１５５、ディスプレイ（display）２１１５、キーパッド（keypad）２１２０、メモリー（memory）２１３０、SIM（Subscriber Identification Module）カード２１２５（この構成は選択的である）、スピーカー（speaker）２１４５、及びマイクロホン（microphone）２１５０を含んで構成できる。また、端末は単一のアンテナまたは多重のアンテナを含むことができる。
【０７４７】
プロセッサ２１１０は先の図１乃至図１９で提案された機能、過程及び／又は方法を具現する。無線インターフェースプロトコルの階層はプロセッサにより具現できる。
【０７４８】
メモリー２１３０はプロセッサと連結され、プロセッサの動作と関連した情報を格納する。メモリーはプロセッサの内部または外部にあることができ、よく知られた多様な手段によりプロセッサと連結できる。
【０７４９】
ユーザは、例えば、キーパッド２１２０のボタンを押さえるか（または、タッチするか）、またはマイクロホン２１５０を用いた音声駆動（voice activation）により電話番号などの命令情報を入力する。プロセッサは、このような命令情報を受信し、電話番号に電話をかけるなど、適切な機能を遂行するように処理する。駆動上のデータ（operational data）はSIMカード２１２５またはメモリー２１３０から抽出することができる。また、プロセッサはユーザが認知し、また便宜のために命令情報または駆動情報をディスプレイ２１１５上にディスプレイすることができる。
【０７５０】
RFモジュール２１３５はプロセッサに連結されて、RF信号を送信及び／又は受信する。プロセッサは通信を開始するために、例えば、音声通信データを構成する無線信号を転送するように命令情報をRFモジュールに伝達する。RFモジュールは無線信号を受信及び送信するために受信機（receiver）及び送信機（transmitter）で構成される。アンテナ２１４０は無線信号を送信及び受信する機能を遂行する。無線信号を受信する時、RFモジュールはプロセッサにより処理するために信号を伝達し、基底帯域（ベースバンド）に信号を変換することができる。処理された信号はスピーカー２１４５を通じて出力される可聴または可読情報に変換できる。
【０７５１】
図２２は、本明細書で提案する方法が適用できる無線通信装置のRFモジュールの一例を示した図である。
【０７５２】
具体的に、図２２はFDD（Frequency Division Duplex）システムで具現できるRFモジュールの一例を示す。
【０７５３】
まず、転送経路で、図２０及び図２１で記述されたプロセッサは転送されるデータをプロセシングしてアナログ出力信号を送信機２２１０に提供する。
【０７５４】
送信機２２１０内で、アナログ出力信号はディジタル対アナログ変換（ADC）により引起こされるイメージを除去するために低域通過フィルタ（Low Pass Filter、LPF）２２１１によりフィルタリングされ、上向き変換機（Mixer）２２１２により基底帯域からRFに上向き変換され、可変利得増幅器（Variable Gain Amplifier、VGA）２２１３により増幅され、増幅された信号はフィルタ２２１４によりフィルタリングされ、電力増幅器（Power Amplifier、PA）２２１５により追加で増幅され、デュプレクサ２２５０／アンテナスイッチ２２６０を通じてルーティングされ、アンテナ２２７０を通じて転送される。
【０７５５】
また、受信経路で、アンテナは外部から信号を受信して、受信された信号を提供し、この信号はアンテナスイッチ２２６０／デュプレクサ２２５０を通じてルーティングされ、受信機２２２０に提供される。
【０７５６】
受信機２２２０内で、受信された信号は低雑音増幅器（Low Noise Amplifier、LNA）２２２３により増幅され、帯域通過フィルタ２２２４によりフィルタリングされ、下向き変換機（Mixer）２２２５によりRFから基底帯域に下向き変換される。
【０７５７】
前記下向き変換された信号は低域通過フィルタ（LPF）２２２６によりフィルタリングされ、VGA２２２７により増幅されてアナログ入力信号を獲得し、これは図２０及び図２１で記述したプロセッサに提供される。
【０７５８】
また、ローカルオシレータ（local oscillator、LO）発生器２２４０は転送及び受信LO信号を発生及び上向き変換機２２１２及び下向き変換機２２２５に各々提供する。
【０７５９】
また、位相固定ループ（Phase Locked Loop、PLL）２２３０は適切な周波数で転送及び受信LO信号を生成するために、プロセッサから制御情報を受信し、制御信号をLO発生器２２４０に提供する。
【０７６０】
また、図２２に図示された回路は図２２に図示された構成と異なるように配列されることもできる。
【０７６１】
図２３は、本明細書で提案する方法が適用できる無線通信装置のRFモジュールの更に他の一例を示した図である。
【０７６２】
具体的に、図２３はTDD（Time Division Duplex）システムで具現できるRFモジュールの一例を示す。
【０７６３】
TDDシステムにおけるRFモジュールの送信機２３１０及び受信機２３２０は、FDDシステムにおけるRFモジュールの送信機及び受信機の構造と同一である。
【０７６４】
以下、TDDシステムのRFモジュールはFDDシステムのRFモジュールと差が出る構造に対してのみ説明し、同一な構造に対しては図２２の説明を参照する。
【０７６５】
送信機の電力増幅器（Power Amplifier、PA）２３１５により増幅された信号はバンド選択スイッチ（Band Select Switch）２３５０、バンド通過フィルタ（BPF）２３６０、及びアンテナスイッチ２３７０を通じてルーティングされ、アンテナ２３８０を通じて転送される。
【０７６６】
また、受信経路で、アンテナは外部から信号を受信して、受信された信号を提供し、この信号はアンテナスイッチ２３７０、バンド通過フィルタ２３６０、及びバンド選択スイッチ２３５０を通じてルーティングされ、受信機２３２０に提供される。
【０７６７】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と置換できる。特許請求範囲で明示的な引用関係がない請求項を結合して実施形態を構成するか、または出願後の補正により新たな請求項に含めることができることは自明である。
【０７６８】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはそれ以上のASICs（application specific integrated circuits）、DSPs（digital signal processors）、DSPDs（digital signal processing devices）、PLDs（programmable logic devices）、FPGAs（field programmable gate arrays）、プロセッサ、コントローラー、マイクロコントローラー、マイクロプロセッサなどにより具現できる。
【０７６９】
ファームウエアやソフトウェアによる具現の場合、本発明の一実施形態は以上で説明された機能または動作を遂行するモジュール、手続、関数などの形態に具現できる。ソフトウェアコードはメモリーに格納されてプロセッサにより駆動できる。前記メモリーは前記プロセッサの内部または外部に位置し、広く知られた多様な手段により前記プロセッサとデータをやり取りすることができる。
【０７７０】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０７７１】
本発明の無線通信システムでCSIを報告する方法は、３GPP LTE／LTE-Aシステム、５Gシステム（New RATシステム）に適用される例を中心として説明したが、その他にも多様な無線通信システムに適用可能である。
【図１】
0006657474.tif 000093
【図２】
0006657474.tif 000094
【図３】
0006657474.tif 000095
【図４】
0006657474.tif 000096
【図５】
0006657474.tif 000097
【図６】
0006657474.tif 000098
【図７】
0006657474.tif 000099
【図８】
0006657474.tif 000100
【図９】
0006657474.tif 000101
【図１０】
0006657474.tif 000102
【図１１】
0006657474.tif 000103
【図１２】
0006657474.tif 000104
【図１３】
0006657474.tif 000105
【図１４】
0006657474.tif 000106
【図１５】
0006657474.tif 000107
【図１６】
0006657474.tif 000108
【図１７】
0006657474.tif 000109
【図１８】
0006657474.tif 000110
【図１９】
0006657474.tif 000111
【図２０】
0006657474.tif 000112
【図２１】
0006657474.tif 000113
【図２２】
0006657474.tif 000114
【図２３】
0006657474.tif 000115